(57)【要約】  送信機は、受信機による非線形推定のために、非定包絡線を有する基準信号を発生させるように構成されている。送信機は、基準信号を送信してもよい。受信機は、非定包絡線を有する基準信号を送信機から受信するように構成されていてもよい。受信機は、非定包絡線を有する基準信号に基づいて、少なくとも１つの非線形特性を推定してもよい。受信機は、少なくとも１つの非線形特性に基づいて、フィードバックを送信してもよく、および／または、少なくとも１つの非線形特性に基づいて、少なくとも１つのデジタルポストディストーション（ＤＰｏＤ）動作を実行してもよい。【選択図】図４
2021507605.tif 000002
【特許請求の範囲】
【請求項１】
送信機によるワイヤレス通信の方法において、
前記送信機により、受信機による非線形推定のために、非定包絡線を有する基準信号を発生させることと、
前記送信機により、前記基準信号を送信することとを含む方法。
【請求項２】
前記基準信号は、１次同期信号を含む請求項１記載の方法。
【請求項３】
前記１次同期信号は、Ｚａｄｏｆｆ−Ｃｈｕシーケンスに基づいている請求項１記載の方法。
【請求項４】
前記基準信号は、ショートトレーニングシーケンス（ＳＴＳ）またはガード間隔（ＧＩ）のうちの１つを含む請求項１記載の方法。
【請求項５】
前記基準信号は、前記非定包絡線を有するプリアンブルを含む請求項１記載の方法。
【請求項６】
前記非定包絡線を有する基準信号の発生は、第１のダイナミックレンジを有するように前記基準信号を変調することを含み、前記第１のダイナミックレンジは、定包絡線を有する別の信号の第２のダイナミックレンジよりも広い請求項１記載の方法。
【請求項７】
前記非線形推定に関係するフィードバックを前記受信機から受信することと、
前記フィードバックに基づいて、少なくとも１つのデジタルプリディストーション（ＤＰＤ）動作を実行することとをさらに含む請求項１記載の方法。
【請求項８】
前記フィードバックに基づく少なくとも１つのＤＰＤ動作の実行は、高出力増幅器（ＨＰＡ）またはデジタルアナログ変換器（ＤＡＣ）のうちの少なくとも１つに関係する１つ以上の係数を調節することを含む請求項７記載の方法。
【請求項９】
受信機によるワイヤレス通信の方法において、
非定包絡線を有する基準信号を受信することと、
前記非定包絡線を有する基準信号に基づいて、少なくとも１つの非線形特性を推定することと、
前記少なくとも１つの非線形特性に基づいて、フィードバックを送信することと、
または、
前記少なくとも１つの非線形特性に基づいて、少なくとも１つのデジタルポストディストーション（ＤＰｏＤ）動作を実行することと、のうちの少なくとも１つとを含む方法。
【請求項１０】
前記基準信号は、１次同期信号を含む請求項９記載の方法。
【請求項１１】
前記１次同期信号は、Ｚａｄｏｆｆ−Ｃｈｕシーケンスに基づいている請求項９記載の方法。
【請求項１２】
前記基準信号は、ショートトレーニングシーケンス（ＳＴＳ）またはガード間隔（ＧＩ）のうちの１つを含む請求項９記載の方法。
【請求項１３】
前記基準信号は、前記非定包絡線を有するプリアンブルを含む請求項９記載の方法。
【請求項１４】
前記非定包絡線を有する基準信号に基づく少なくとも１つの非線形特性の推定が、最小二乗アルゴリズムに基づいている請求項９記載の方法。
【請求項１５】
前記少なくとも１つの非線形特性に基づく少なくとも１つのＤＰｏＤ動作の実行は、低雑音増幅器（ＬＮＡ）またはアナログデジタル変換器（ＡＤＣ）のうちの少なくとも１つに関係する１つ以上の係数を調節することを含む請求項９記載の方法。
【請求項１６】
ワイヤレス通信のための装置において、
メモリと、
前記メモリに結合されている少なくとも１つのプロセッサとを具備し、
前記少なくとも１つのプロセッサは、
受信機による非線形推定のために、非定包絡線を有する基準信号を発生させ、
前記基準信号を送信するように構成されている装置。
【請求項１７】
前記基準信号は、１次同期信号を含む請求項１６記載の装置。
【請求項１８】
前記１次同期信号は、Ｚａｄｏｆｆ−Ｃｈｕシーケンスに基づいている請求項１６記載の装置。
【請求項１９】
前記基準信号は、ショートトレーニングシーケンス（ＳＴＳ）またはガード間隔（ＧＩ）のうちの１つを含む請求項１６記載の装置。
【請求項２０】
前記基準信号は、前記非定包絡線を有するプリアンブルを含む請求項１６記載の装置。
【請求項２１】
前記非定包絡線を有する基準信号の発生は、第１のダイナミックレンジを有するように前記基準信号を変調することを含み、前記第１のダイナミックレンジは、定包絡線を有する別の信号の第２のダイナミックレンジよりも広い請求項１６記載の装置。
【請求項２２】
前記少なくとも１つのプロセッサは、
前記非線形推定に関係するフィードバックを前記受信機から受信し、
前記フィードバックに基づいて、少なくとも１つのデジタルプリディストーション（ＤＰＤ）動作を実行するようにさらに構成されている請求項１６記載の装置。
【請求項２３】
前記フィードバックに基づく少なくとも１つのＤＰＤ動作の実行は、高出力増幅器（ＨＰＡ）またはデジタルアナログ変換器（ＤＡＣ）のうちの少なくとも１つに関係する１つ以上の係数の調節を含む請求項２２記載の装置。
【請求項２４】
受信機によるワイヤレス通信の装置において、
メモリと、
前記メモリに結合されている少なくとも１つのプロセッサとを具備し、
前記少なくとも１つのプロセッサは、
非定包絡線を有する基準信号を受信し、
前記非定包絡線を有する基準信号に基づいて、少なくとも１つの非線形特性を推定し、
前記少なくとも１つの非線形特性に基づいて、フィードバックを送信することと、
または、
前記少なくとも１つの非線形特性に基づいて、少なくとも１つのデジタルポストディストーション（ＤＰｏＤ）動作を実行することと、のうちの少なくとも１つを実行するように構成されている装置。
【請求項２５】
前記基準信号は、１次同期信号を含む請求項２４記載の装置。
【請求項２６】
前記１次同期信号は、Ｚａｄｏｆｆ−Ｃｈｕシーケンスに基づいている請求項２４記載の装置。
【請求項２７】
前記基準信号は、ショートトレーニングシーケンス（ＳＴＳ）またはガード間隔（ＧＩ）のうちの１つを含む請求項２４記載の装置。
【請求項２８】
前記基準信号は、前記非定包絡線を有するプリアンブルを含む請求項２４記載の装置。
【請求項２９】
前記非定包絡線を有する基準信号に基づく少なくとも１つの非線形特性の推定が、最小二乗アルゴリズムに基づいている請求項２４記載の装置。
【請求項３０】
前記少なくとも１つの非線形特性に基づく少なくとも１つのＤＰｏＤ動作の実行が、低雑音増幅器（ＬＮＡ）またはアナログデジタル変換器（ＡＤＣ）のうちの少なくとも１つに関係する１つ以上の係数の調節を含む請求項２４記載の装置。
【請求項３１】
ワイヤレス通信のための装置において、
受信機による非線形推定のために、非定包絡線を有する基準信号を発生させる手段と、
前記基準信号を送信する手段とを具備する装置。
【請求項３２】
前記基準信号は、１次同期信号を含む請求項３１記載の装置。
【請求項３３】
前記１次同期信号は、Ｚａｄｏｆｆ−Ｃｈｕシーケンスに基づいている請求項３１記載の装置。
【請求項３４】
前記基準信号は、ショートトレーニングシーケンス（ＳＴＳ）またはガード間隔（ＧＩ）のうちの１つを含む請求項３１記載の装置。
【請求項３５】
前記基準信号は、前記非定包絡線を有するプリアンブルを含む請求項３１記載の装置。
【請求項３６】
前記非定包絡線を有する基準信号を発生させる手段は、第１のダイナミックレンジを有するように前記基準信号を変調するように構成され、前記第１のダイナミックレンジは、定包絡線を有する別の信号の第２のダイナミックレンジよりも広い請求項３１記載の装置。
【請求項３７】
前記非線形推定に関係するフィードバックを前記受信機から受信する手段と、
前記フィードバックに基づいて、少なくとも１つのデジタルプリディストーション（ＤＰＤ）動作を実行する手段とをさらに具備する請求項３１記載の装置。
【請求項３８】
前記フィードバックに基づいて、少なくとも１つのＤＰＤ動作を実行する手段は、高出力増幅器（ＨＰＡ）またはデジタルアナログ変換器（ＤＡＣ）のうちの少なくとも１つに関係する１つ以上の係数を調節するように構成されている請求項３７記載の装置。
【請求項３９】
受信機によるワイヤレス通信の装置において、
非定包絡線を有する基準信号を受信する手段と、
前記非定包絡線を有する基準信号に基づいて、少なくとも１つの非線形特性を推定する手段と、
前記少なくとも１つの非線形特性に基づいて、フィードバックを送信する手段と、
または、
前記少なくとも１つの非線形特性に基づいて、少なくとも１つのデジタルポストディストーション（ＤＰｏＤ）動作を実行する手段と、のうちの少なくとも１つとを具備する装置。
【請求項４０】
前記基準信号は、１次同期信号を含む請求項３９記載の装置。
【請求項４１】
前記１次同期信号は、Ｚａｄｏｆｆ−Ｃｈｕシーケンスに基づいている請求項３９記載の装置。
【請求項４２】
前記基準信号は、ショートトレーニングシーケンス（ＳＴＳ）またはガード間隔（ＧＩ）のうちの１つを含む請求項３９記載の装置。
【請求項４３】
前記基準信号は、前記非定包絡線を有するプリアンブルを含む請求項３９記載の装置。
【請求項４４】
前記非定包絡線を有する基準信号に基づいて、少なくとも１つの非線形特性を推定することは、最小二乗アルゴリズムに基づいている請求項３９記載の装置。
【請求項４５】
前記少なくとも１つの非線形特性に基づいて、少なくとも１つのＤＰｏＤ動作を実行する手段は、低雑音増幅器（ＬＮＡ）またはアナログデジタル変換器（ＡＤＣ）のうちの少なくとも１つに関係する１つ以上の係数を調節するように構成されている請求項３９記載の装置。
【請求項４６】
送信機によるワイヤレス通信のためのコンピュータ実行可能コードを記憶するコンピュータ読取可能媒体において、
前記送信機により、受信機による非線形推定のために、非定包絡線を有する基準信号を発生させ、
前記送信機により、前記基準信号を送信させるコードを含むコンピュータ読取可能媒体。
【請求項４７】
受信機によるワイヤレス通信のためのコンピュータ実行可能コードを記憶するコンピュータ読取可能媒体において、
非定包絡線を有する基準信号を受信し、
前記非定包絡線を有する基準信号に基づいて、少なくとも１つの非線形特性を推定し、
前記少なくとも１つの非線形特性に基づいて、フィードバックを送信することと、
または、
前記少なくとも１つの非線形特性に基づいて、少なくとも１つのデジタルポストディストーション（ＤＰｏＤ）動作を実行することと、のうちの少なくとも１つを実行するためのコードを含むコンピュータ読取可能媒体。
【発明の詳細な説明】
【関連出願に対する相互参照】
【０００１】
［０００１］
本出願は、「非定包絡線の基準信号を使用する非線形推定」と題され、２０１７年１２月１８日に出願された米国仮特許出願第６２／６０７，１６１号と、「基準信号による非線形推定のためのシステムおよび方法」と題され、２０１８年１２月１７日に出願された米国特許出願第１６／２２２，８８４号の利益を主張するものであり、これらの出願は、その全体が参照によりここに明示的に組み込まれている。
【０００２】
［０００２］
【技術分野】
【０００３】
［０００３］
本開示は、一般に通信システムに関し、より詳細には、非線形推定のために使用してもよい非定包絡線を有する基準信号を発生させるように構成されている送信機に関する。
【序論】
【０００４】
［０００４］
ワイヤレス通信システムは、電話、ビデオ、データ、メッセージング、および、ブロードキャストのような、さまざまな電気通信サービスを提供するために広く配備されている。典型的なワイヤレス通信システムは、利用可能なシステムリソースを共有することによって、複数のユーザとの通信をサポートすることができる多元接続技術を用いているかもしれない。このような多元接続技術の例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、および、時分割同期コード分割多元接続（ＴＤ−ＳＣＤＭＡ）システムを含んでいる。
【０００５】
［０００５］
これらの多元接続技術は、異なるワイヤレスデバイスが市区町村レベル、国レベル、地域レベル、さらにはグローバルレベルで通信することを可能にさせる共通のプロトコルを提供するために、さまざまな電気通信標準規格で採用されている。例示的な電気通信標準規格は、５Ｇの新たな無線（ＮＲ）である。５Ｇ  ＮＲは、待ち時間、信頼性、セキュリティ、（例えば、インターネットオブシングス（ＩｏＴ）を用いた）スケーラビリティ、および、他の要件に関係する新たな要件を満たすために、第３世代パートナーシッププロジェクト（３ＧＰＰ（登録商標））によって公表された連続移動体ブロードバンドエボリューションの一部である。５Ｇ  ＮＲは、拡張移動体ブロードバンド（ｅＭＢＢ）、マッシブマシンタイプ通信（ｍＭＭＴＣ）、および、超高信頼性低レイテンシ通信（ＵＲＬＬＣ）に関係するサービスを含んでいる。５Ｇ  ＮＲのいくつかの態様は、４Ｇロングタームエボリューション（ＬＴＥ（登録商標））標準規格に基づいているかもしれない。５Ｇ  ＮＲ技術におけるさらなる改善の必要性が存在する。これらの改善はまた、これらの技術を用いる他の多元接続技術および電気通信標準規格に適用可能であってもよい。
【概要】
【０００６】
［０００６］
１つ以上の態様の基本的な理解を提供するために、このような態様の簡潔化された概要を以下に提示する。この概要は、すべての企図された態様の広範な概観ではなく、すべての態様の鍵または重要な要素を識別することも、任意のまたはすべての態様の範囲を描写することも意図していない。唯一の目的は、後に提示するより詳細な説明への前置きとして、簡略化された形態で１つ以上の態様のうちのいくつかの概念を提示することである。
【０００７】
［０００７］
さまざまなワイヤレス通信システムでは、送信機は、限定線形ダイナミックレンジを有する高出力増幅器のような、さまざまな非線形コンポーネントを含んでいるかもしれない。いくつかの非線形コンポーネントは、高いピーク対平均電力比（ＰＡＰＲ）のために送信信号を歪ませるかもしれない。この歪みを低減させるために、バックオフが（例えば、送信電力に）適用されるかもしれない。しかしながら、バックオフは、電力効率を低減させることがある。
【０００８】
［０００８］
放射電力の効率は、無線周波数（ＲＦ）送信機の設計において影響を及ぼすことがある。効率を向上させるために、信号の送信からの非線形推定に基づいて、少なくとも１つのデジタルプリディストーション（ＤＰＤ）動作および／またはデジタルポストディストーション（ＤＰｏＤ）動作が、実行されるかもしれない。例えば、送信機は、ＤＰＤ動作を適用してもよく、および／または、受信機は、ＤＰｏＤ動作を適用してもよい。ＤＰＤおよび／またはＤＰｏＤ動作を実行するために、送信機および／または受信機におけるさまざまなコンポーネント（例えば、増幅器、信号変換器など）の非線形特性が推定されるかもしれない。
【０００９】
［０００９］
本開示は、送信機および／または受信機のさまざまなコンポーネントの非線形特性の推定へのアプローチを提供するかもしれない。ここで説明するさまざまなアプローチは、データ駆動非線形推定を回避するかもれず、データ駆動非線形推定は、比較的高い信号対雑音比（ＳＮＲ）を有し、１６直交振幅変調（ＱＡＭ）の変調スキームまたはより高い変調スキームを有する信号の反復デコーディングを使用するかもしれない。さまざまなアプローチでは、非線形推定のために、プリアンブルのような、送信信号のさまざまな部分を使用してもよい。非線形コンポーネントの多くの（潜在的にすべての）ダイナミックレンジをカバーするために、送信される基準信号のダイナミックレンジは、非定包絡線コンスタレーションを使用して修正されるかもしれない。本開示で説明するいくつかのアプローチは、（例えば、高出力増幅器に対する）非線形効果を回避するために、一定の（または、何らかの形成パルスが原因で、ほぼ一定の）包絡線を有する信号プリアンブルを使用するかもしれない、いくつかのプロトコルとは異なっているかもしれない。一定の（または、ほぼ一定の）包絡線を有する信号プリアンブルは、受信機による非線形推定を妨げるかもしれない。
【００１０】
［００１０］
本開示の１つの態様では、方法、コンピュータ読取可能媒体、および、装置が提供される。装置は、送信機であってもよい。装置は、受信機による非線形推定のために、非定包絡線を有する基準信号を発生させてもよい。装置は、例えば、受信機に基準信号を送信してもよい。１つの態様では、基準信号は、１次同期信号を含んでいる。１つの態様では、１次同期信号は、Ｚａｄｏｆｆ−Ｃｈｕシーケンスに基づいている。ある態様では、基準信号は、ショートトレーニングシーケンス（ＳＴＳ）またはガード間隔（ＧＩ）のうちの１つを含んでいる。ある態様では、基準信号は、非定包絡線を有するプリアンブルを含んでいる。ある態様では、非定包絡線を有する基準信号の発生は、第１のダイナミックレンジを有するように基準信号を変調することを含み、第１のダイナミックレンジは、定包絡線を有する別の信号の第２のダイナミックレンジよりも広い。装置はさらに、非線形推定に関係するフィードバックを受信機から受信し、フィードバックに基づいて、少なくとも１つのＤＰＤ動作を実行してもよい。ある態様では、フィードバックに基づく少なくとも１つのＤＰＤ動作の実行は、高出力増幅器（ＨＰＡ）またはデジタルアナログ変換器（ＤＡＣ）のうちの少なくとも１つに関係する１つ以上の係数を調節することを含んでいる。
【００１１】
［００１１］
本開示のある態様では、方法、コンピュータ読取可能媒体、および、装置が提供される。装置は、受信機であってもよい。装置は、非定包絡線を有する基準信号を受信してもよい。装置は、非定包絡線を有する基準信号に基づいて、少なくとも１つの非線形特性を推定してもよい。装置は、少なくとも１つの非線形特性に基づいて、フィードバックを送信すること、または、少なくとも１つの非線形特性に基づいて、少なくとも１つのＤＰｏＤ動作を実行することのうちの少なくとも１つを行ってもよい。ある態様では、基準信号は、１次同期信号を含んでいる。ある態様では、１次同期信号は、Ｚａｄｏｆｆ−Ｃｈｕシーケンスに基づいている。ある態様では、基準信号は、ＳＴＳまたはＧＩのうちの１つを含んでいる。ある態様では、基準信号は、非定包絡線を有するプリアンブルを含んでいる。１つの態様では、非定包絡線を有する基準信号に基づく少なくとも１つの非線形特性の推定は、最小二乗アルゴリズムに基づいている。ある態様では、少なくとも１つの非線形特性に基づく少なくとも１つのＤＰｏＤ動作の実行は、低雑音増幅器（ＬＮＡ）またはアナログデジタル変換器（ＡＤＣ）のうちの少なくとも１つに関係する１つ以上の係数を調節することを含んでいる。
【００１２】
［００１２］
上記の目的および関連する目的を達成するために、１つ以上の態様は、以下で十分に説明され、特に特許請求の範囲において指摘される特徴を含んでいる。以下の説明および添付の図面は、１つ以上の態様のいくつかの例示的な特徴を詳細に示している。しかしながら、これらの特徴は、さまざまな態様の原理が用いられるかもしれないさまざまな方法のうちのほんのいくつかを示し、この説明は、このような態様およびこれらの均等物のすべてを含むことが意図されている。
【図面の簡単な説明】
【００１３】
【図１】［００１３］  図１は、ワイヤレス通信システムおよびアクセスネットワークの例を示す図である。
【図２Ａ】図２Ａは、第１の５Ｇ／ＮＲフレームの例を示す図である。
【図２Ｂ】図２Ｂは、５Ｇ／ＮＲサブフレーム内のＤＬチャネルの例を示す図である。
【図２Ｃ】図２Ｃは、第２の５Ｇ／ＮＲフレームの例を示す図である。
【図２Ｄ】図２Ｄは、５Ｇ／ＮＲサブフレーム内のＵＬチャネルの例を示す図である。
【図３】［００１４］  図３は、アクセスネットワークにおける基地局およびユーザ機器（ＵＥ）の例を示す図である。
【図４】［００１５］  図４は、ワイヤレス通信システムのコールフロー図である。
【図５】［００１６］  図５は、非線形性に寄与するかもしれない特性のモデルの図である。
【図６】［００１７］  図６は、ワイヤレス通信の方法のフローチャートである。
【図７】［００１８］  図７は、ワイヤレス通信の方法のフローチャートである。
【図８】［００１９］  図８は、例示的な装置における異なる手段／コンポーネント間のデータフローを示す概念データフロー図である。
【図９】［００２０］  図９は、処理システムを用いる装置のためのハードウェアインプリメンテーションの例を示す図である。
【図１０】［００２１］  図１０は、例示的な装置における異なる手段／コンポーネント間のデータフローを示す概念データフロー図である。
【図１１】［００２２］  図１１は、処理システムを用いる装置のためのハードウェアインプリメンテーションの例を示す図である。
【詳細な説明】
【００１４】
［００２３］
添付の図面に関連して以下で述べる詳細な説明は、さまざまなコンフィギュレーションの説明として意図されており、ここで説明する概念を実施できる唯一のコンフィギュレーションを表すようには意図されていない。詳細な説明は、さまざまな概念の完全な理解を提供する目的で、特定の詳細を含んでいる。しかしながら、これらの概念がこれらの特定の詳細なく実施できることは当業者にとって明らかであろう。いくつかの例において、このような概念をあいまいにすることを避けるために、よく知られた構造およびコンポーネントを、ブロックダイヤグラム形態で示している。
【００１５】
［００２４］
電気通信システムのいくつかの態様が、さまざまな装置および方法を参照して、ここで提示されることになる。これらの装置および方法は、以下の詳細な説明で説明され、（「要素」とひとまとめに呼ばれる）さまざまなブロック、コンポーネント、回路、プロセス、アルゴリズムなどにより添付の図面に例示されている。これらの要素は、電子ハードウェア、コンピュータソフトウェア、または、これらの任意の組み合わせを使用して実現してもよい。このような要素がハードウェアとして実現されるか、ソフトウェアとして実現されるかは、特定の適用およびシステム全体に課される設計制約に依存する。
【００１６】
［００２５］
例として、要素、または、要素の任意の部分、または、要素の任意の組み合わせは、１つ以上のプロセッサを含む「処理システム」として実現してもよい。プロセッサの例は、マイクロプロセッサ、マイクロ制御装置、グラフィックス処理ユニット（ＧＰＵ）、中央処理ユニット（ＣＰＵ）、アプリケーションプロセッサ、デジタル信号プロセッサ（ＤＳＰ）、縮小命令セットコンピューティング（ＲＩＳＣ）プロセッサ、チップ上のシステム（ＳｏＣ）、ベースバンドプロセッサ、フィールドプログラマブルゲートアレイ（ＦＰＧＡ）、プログラマブル論理デバイス（ＰＬＤ）、状態機械、ゲート論理、ディスクリートハードウェア回路、および、本開示の全体に渡って説明するさまざまな機能を実行するように構成されている他の適切なハードウェアを含んでいる。処理システム中の１つ以上のプロセッサは、ソフトウェアを実行してもよい。ソフトウェアは、ソフトウェア、ファームウェア、ミドルウェア、マイクロコード、ハードウェア記述言語、または、他のものとして呼ばれるか否かにかかわらず、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行可能ファイル、実行スレッド、プロシージャ、関数などを意味するように広く解釈されるべきである。
【００１７】
［００２６］
したがって、１つ以上の例示的な実施形態では、説明する機能は、ハードウェア、ソフトウェア、または、これらの任意の組み合わせで実現してもよい。ソフトウェアで実現される場合、機能は、コンピュータ読取可能媒体上の１つ以上の命令またはコードとして記憶されるか、あるいは、コード化されていてもよい。コンピュータ読取可能媒体は、コンピュータ記憶媒体を含んでいる。記憶媒体は、コンピュータによりアクセスすることができる任意の利用可能な媒体であってもよい。限定ではなく例として、このようなコンピュータ読取可能媒体は、ランダムアクセスメモリ（ＲＡＭ）、リードオンリーメモリ（ＲＯＭ）、電気的消去可能プログラマブルＲＯＭ（ＥＥＰＲＯＭ（登録商標））、光ディスク記憶装置、磁気ディスク記憶装置、他の磁気記憶デバイス、上述のタイプのコンピュータ読取可能媒体の組み合わせ、あるいは、コンピュータによりアクセスすることができる命令またはデータ構造の形でコンピュータ実行可能コードを記憶するために使用することができる他の任意の媒体を含むことができる。
【００１８】
［００２７］
図１は、ワイヤレス通信システムおよびアクセスネットワーク１００の例を示す図である。（ワイヤレスワイドエリアネットワーク（ＷＷＡＮ）としても呼ばれる）ワイヤレス通信システムは、基地局１０２、ＵＥ１０４、発展型パケットコア（ＥＰＣ）１６０、および、５Ｇコア（５ＧＣ）１９０を含んでいる。基地局１０２は、マクロセル（高出力セルラー基地局）および／またはスモールセル（低出力セルラー基地局）を含んでいてもよい。マクロセルは、基地局を含んでいる。スモールセルは、フェムトセル、ピコセル、および、マイクロセルを含んでいる。
【００１９】
［００２８］
（発展型ユニバーサル移動体電気通信システム（ＵＭＴＳ）地上無線アクセスネットワーク（Ｅ−ＵＴＲＡＮ）とひとまとめに呼ばれる）４Ｇ  ＬＴＥのために構成されている基地局１０２は、バックホールリンク１３２（例えば、Ｓ１インターフェース）を介して、ＥＰＣ１６０とインターフェースしていてもよい。（ひとまとめに次世代ＲＡＮ（ＮＧ−ＲＡＮ）として呼ばれる）５Ｇ  ＮＲのために構成されている基地局１０２は、バックホールリンク１８４を介して、５ＧＣ１９０とインターフェースしていてもよい。他の機能に加えて、基地局１０２は、ユーザデータの転送、無線チャネル暗号化および解読、完全性保護、ヘッダ圧縮、モビリティ制御機能（例えば、ハンドオーバー、デュアル接続）、セル間干渉協調、接続セットアップおよび解放、負荷分散、非アクセス層（ＮＡＳ）メッセージのための分散、ＮＡＳノード選択、同期化、無線アクセスネットワーク（ＲＡＮ）の共有、マルチメディアブロードキャストマルチキャストサービス（ＭＢＭＳ）、加入者および機器のトレース、ＲＡＮ情報管理（ＲＩＭ）、ページング、位置決め、および、警報メッセージの配信のうちの１つ以上を実行してもよい。基地局１０２は、バックホールリンク１３４（例えば、Ｘ２インターフェース）を介して、直接的または間接的に（例えば、ＥＰＣ１６０または５ＧＣ１９０を介して）互いに通信してもよい。バックホールリンク１３４は、有線またはワイヤレスであってもよい。
【００２０】
［００２９］
基地局１０２は、ＵＥ１０４とワイヤレスに通信してもよい。基地局１０２のそれぞれは、それぞれの地理的カバレッジエリア１１０’のための通信カバレッジを提供していてもよい。オーバーラップしている地理的カバレッジエリア１１０があってもよい。例えば、スモールセル１０２’は、１つ以上のマクロ基地局１０２のカバレッジエリア１１０とオーバーラップするカバレッジエリア１１０’を有していてもよい。スモールセルとマクロセルの両方を含むネットワークは、ヘテロジニアスネットワークとして知られているかもしれない。ヘテロジニアスネットワークは、ホーム進化型ノードＢ（ｅＮＢ）（ＨｅＮＢ）も含んでいてもよく、これは、閉じられた加入者グループ（ＣＳＧ）として知られている制限されたグループにサービスを提供していてもよい。基地局１０２とＵＥ１０４との間の通信リンク１２０は、ＵＥ１０４から基地局１０２への（リバースリンクとしても呼ばれる）アップリンク（ＵＬ）送信、および／または、基地局１０２からＵＥ１０４への（フォワードリンクとしても呼ばれる）ダウンリンク（ＤＬ）送信を含んでいてもよい。通信リンク１２０は、空間多重化、ビーム形成、および／または、送信ダイバーシティを含む、複数入力複数出力（ＭＩＭＯ）アンテナ技術を使用してもよい。通信リンクは、１つ以上の搬送波を通したものであってもよい。基地局１０２／ＵＥ１０４は、各方向への送信に対して使用される合計ＹｘＭＨｚ（ｘコンポーネント搬送波）までの搬送波アグリゲーションにおいて割り振られる搬送波ごとに、ＹＭＨｚ（例えば、５、１０、１５、２０、１００、４００ＭＨｚなど）帯域幅までスペクトルを使用してもよい。搬送波は、互いに隣接していても、していなくてもよい。搬送波の割り振りは、ＤＬとＵＬに関して非対称であってもよい（例えば、ＵＬに対してよりもＤＬに対して、より多くのまたはより少ない搬送波が割り振られてもよい）。コンポーネント搬送波は、１次コンポーネント搬送波と１つ以上の２次コンポーネント搬送波とを含んでいてもよい。１次コンポーネント搬送波は、１次セル（Ｐセル）として呼ばれることがあり、２次コンポーネント搬送波は、２次セル（Ｓセル）として呼ばれることがある。
【００２１】
［００３０］
あるＵＥ１０４は、デバイス間（Ｄ２Ｄ）通信リンク１５８を使用して、互いに通信してもよい。Ｄ２Ｄ通信リンク１５８は、ＤＬ／ＵＬ  ＷＷＡＮスペクトルを使用してもよい。Ｄ２Ｄ通信リンク１５８は、物理サイドリンクブロードキャストチャネル（ＰＳＢＣＨ）、物理サイドリンクディスカバリーチャネル（ＰＳＤＣＨ）、物理サイドリンク共有チャネル（ＰＳＳＣＨ）、および、物理サイドリンク制御チャネル（ＰＳＣＣＨ）のような、１つ以上のサイドリンクチャネルを使用してもよい。Ｄ２Ｄ通信は、例えば、ＦｌａｓｈＬｉｎＱ、ＷｉＭｅｄｉａ、Ｂｌｕｅｔｏｏｔｈ（登録商標）、ＺｉｇＢｅｅ、ＩＥＥＥ８０２．１１標準規格に基づくＷｉ−Ｆｉ、ＬＴＥ、または、ＮＲのような、さまざまなワイヤレスＤ２Ｄ通信システムを通してもよい。
【００２２】
［００３１］
ワイヤレス通信システムは、５ＧＨｚのライセンスされていない周波数スペクトル中で通信リンク１５４を介してＷｉ−Ｆｉ局（ＳＴＡ）１５２と通信するＷｉ−Ｆｉアクセスポイント（ＡＰ）１５０をさらに含んでいてもよい。ライセンスされていない周波数スペクトル中で通信するとき、ＳＴＡ１５２／ＡＰ１５０は、チャネルが利用可能であるか否かを決定するために、通信する前に、クリアチャネルアセスメント（ＣＣＡ）を実行してもよい。
【００２３】
［００３２］
スモールセル１０２’は、ライセンスされている周波数スペクトルおよび／またはライセンスされていない周波数スペクトルで動作してもよい。ライセンスされていない周波数スペクトルで動作するとき、スモールセル１０２’は、ＮＲを用い、Ｗｉ−Ｆｉ  ＡＰ１５０により使用されるものと同じ５ＧＨｚのライセンスされていない周波数スペクトルを使用してもよい。ライセンスされていない周波数スペクトルにおいてＮＲを用いるスモールセル１０２’は、アクセスネットワークのカバレッジをブーストし、および／または、アクセスネットワークの容量を増加させてもよい。スモールセル１０２’またはラージセル（例えば、マクロ基地局）のいずれかである基地局１０２は、ｅＮＢ、ｇＮｏｄｅＢ（ｇＮＢ）、または、他のタイプの基地局を含んでいてもよい。ｇＮＢ１８０のようないくつかの基地局は、ＵＥ１０４との通信において、ミリ波（ｍｍＷ）周波数中で従来のサブ６ＧＨｚスペクトルで、および／または、近ｍｍＷ周波数で動作してもよい。ｇＮＢ１８０がｍｍＷまたは近ｍｍＷ周波数で動作するとき、ｇＮＢ１８０はｍｍＷ基地局として呼ばれることがある。極高周波数（ＥＨＦ）は、電磁スペクトルにおけるＲＦの一部である。ＥＨＦは、３０ＧＨｚ〜３００ＧＨｚの範囲と、１ミリメートル〜１０ミリメートルの波長とを有する。帯域の電波は、ミリ波として呼ばれることがある。近ｍｍＷは、１００ミリメートルの波長を有する３ＧＨｚの周波数まで下方に広がっていてもよい。超高周波数（ＳＨＦ）帯域は、３ＧＨｚと３０ＧＨｚの間に広がり、センチメートル波としても呼ばれる。ｍｍＷ／近ｍｍＷ無線周波数帯域（例えば、３ＧＨｚ〜３００ＧＨｚ）を使用する通信は、極めて高いパス損失および短距離を有する。ｍｍＷ基地局１８０は、ＵＥ１０４とのビーム形成１８２を利用して、極めて高いパス損失および短距離を補償してもよい。
【００２４】
［００３３］
基地局１８０は、１つ以上の送信方向１８２’において、ビーム形成された信号をＵＥ１０４に送信してもよい。ＵＥ１０４は、１つ以上の受信方向１８２’’において、ビーム形成された信号を基地局１８０から受信してもよい。ＵＥ１０４はまた、１つ以上の送信方向において、ビーム形成された信号を基地局１８０に送信してもよい。基地局１８０は、１つ以上の受信方向において、ビーム形成された信号をＵＥ１０４から受信してもよい。基地局１８０／ＵＥ１０４は、ビームトレーニングを実行して、基地局１８０／ＵＥ１０４のそれぞれに対して最良の受信方向および送信方向を決定してもよい。基地局１８０に対する送信方向および受信方向は、同じであってもよいし、同じでなくてもよい。ＵＥ１０４に対する送信方向および受信方向は、同じであってもよいし、同じでなくてもよい。
【００２５】
［００３４］
ＥＰＣ１６０は、モビリティ管理エンティティ（ＭＭＥ）１６２と、他のＭＭＥ１６４と、サービングゲートウェイ１６６と、マルチメディアブロードキャストマルチキャストサービス（ＭＢＭＳ）ゲートウェイ１６８と、ブロードキャストマルチキャストサービスセンター（ＢＭ−ＳＣ）１７０と、パケットデータネットワーク（ＰＤＮ）ゲートウェイ１７２とを含んでいてもよい。ＭＭＥ１６２は、ホーム加入者サーバ（ＨＳＳ）１７４と通信してもよい。ＭＭＥ１６２は、ＵＥ１０４とＥＰＣ１６０との間のシグナリングを処理する制御ノードである。一般的に、ＭＭＥ１６２は、ベアラおよび接続の管理を提供する。すべてのユーザインターネットプロトコル（ＩＰ）パケットは、サービングゲートウェイ１６６を介して転送され、サービングゲートウェイは、これ自体がＰＤＮゲートウェイ１７２に接続されている。ＰＤＮゲートウェイ１７２は、ＵＥ  ＩＰアドレス割り振りならびに他の機能を提供する。ＰＤＮゲートウェイ１７２およびＢＭ−ＳＣ１７０は、ＩＰサービス１７６に接続されている。ＩＰサービス１７６は、インターネット、イントラネット、ＩＰマルチメディアサブシステム（ＩＭＳ）、ＰＳストリーミングサービス、および／または、他のＩＰサービスを含んでいてもよい。ＢＭ−ＳＣ１７０は、ＭＢＭＳユーザサービスプロビジョニングおよび配信のための機能を提供してもよい。ＢＭ−ＳＣ１７０は、コンテンツプロバイダＭＢＭＳ送信に対するエントリポイントとして機能してもよく、公衆地上移動体ネットワーク（ＰＬＭＮ）内のＭＢＭＳベアラサービスを認可および開始するために使用してもよく、ＭＢＭＳ送信をスケジュールするために使用してもよい。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを分配するために使用してもよく、セッション管理（開始／停止）のためのおよびｅＭＢＭＳ関連課金情報を収集するための役割を果たしてもよい。
【００２６】
［００３５］
５ＧＣ１９０は、アクセスおよびモビリティ管理機能（ＡＭＦ）１９２、他のＡＭＦ１９３、セッション管理機能（ＳＭＦ）１９４、および、ユーザプレーン機能（ＵＰＦ）１９５を含んでいてもよい。ＡＭＦ１９２は、統一データ管理（ＵＤＭ）１９６と通信してもよい。ＡＭＦ１９２は、ＵＥ１０４と５ＧＣ１９０との間のシグナリングを処理する制御ノードである。一般に、ＡＭＦ１９２は、ＱｏＳフローおよびセッション管理を提供する。すべてのユーザインターネットプロトコル（ＩＰ）パケットは、ＵＰＦ１９５を介して転送される。ＵＰＦ１９５は、ＵＥ  ＩＰアドレス割り振りとともに他の機能を提供する。ＵＰＦ１９５は、ＩＰサービス１９７に接続されている。ＩＰサービス１９７は、インターネット、イントラネット、ＩＰマルチメディアサブシステム（ＩＭＳ）、ＰＳストリーミングサービス、および／または、他のＩＰサービスを含んでいてもよい。
【００２７】
［００３６］
基地局はまた、ｇＮＢ、ノードＢ、進化型ノードＢ（ｅＮＢ）、アクセスポイント、基地トランシーバ局、無線基地局、無線トランシーバ、トランシーバ機能、基本サービスセット（ＢＳＳ）、拡張サービスセット（ＥＳＳ）、送受信ポイント（ＴＲＰ）、または、他の何らかの適した専門用語として呼ばれることがある。基地局１０２は、ＵＥ１０４のためにＥＰＣ１６０または５ＧＣ１９０へのアクセスポイントを提供する。ＵＥ１０４の例は、セルラー電話機、スマートフォン、セッション開始プロトコル（ＳＩＰ）電話機、ラップトップ、パーソナルデジタルアシスタント（ＰＤＡ）、衛星無線、グローバルポジショニングシステム、マルチメディアデバイス、ビデオデバイス、デジタルオーディオプレーヤー（例えば、ＭＰ３プレーヤー）、カメラ、ゲームコンソール、タブレット、スマートデバイス、ウェアラブルデバイス、車両、電気メーター、ガスポンプ、大きなまたは小さな台所用品、ヘルスケアデバイス、インプラント、センサ／アクチュエータ、ディスプレイ、あるいは、他の何らか同様の機能的なデバイスを含んでいる。ＵＥ１０４のうちのいくつかは、ＩｏＴデバイス（例えば、パーキングメーター、ガスポンプ、トースター、車両、心臓モニタなど）として呼ばれることがある。ＵＥ１０４はまた、局、移動局、加入者局、移動体ユニット、加入者ユニット、ワイヤレスユニット、遠隔ユニット、移動体デバイス、ワイヤレスデバイス、ワイヤレス通信デバイス、遠隔デバイス、移動体加入者局、アクセス端末、移動体端末、ワイヤレス端末、遠隔端末、ハンドセット、ユーザエージェント、移動体クライアント、クライアント、または、他の何らかの適切な専門用語として呼ばれることがある。
【００２８】
［００３７］
再び図１を参照すると、いくつかの態様では、基地局１８０は、非定包絡線を有する基準信号１９８を発生させるように構成されていてもよい。基地局１８０は、非定包絡線を有する基準信号１９８をＵＥ１０４に送信してもよい。ＵＥ１０４は、非定包絡線を有する基準信号１９８を基地局１８０から受信するように構成されていてもよい。ＵＥ１０４は、基準信号１９８に基づいて、１つ以上の非線形特性を推定してもよい。その後、ＵＥ１０４は、（１）１つ以上の非線形特性に基づいて、フィードバックを基地局１８０に送信し、（２）１つ以上の非線形特性に基づいて、少なくとも１つのデジタルポストディストーション（ＤＰｏＤ）動作を実行し、または、（３）１つ以上の非線形特性に基づいて、フィードバックを送信し、そして、１つ以上の非線形特性に基づいて、少なくとも１つのＤＰｏＤ動作を実行することの両方をしてもよい。ＵＥ１０４が、１つ以上の非線形特性に基づいて、フィードバックを基地局１８０に送信するとき、基地局１８０は、フィードバックに基づいて、少なくとも１つのデジタルプリディストーション（ＤＰＤ）動作を実行してもよい。このようにして、ＵＥ１０４および／または基地局１８０は、ＵＥ１０４および基地局１８０が通信する１つ以上のチャネルの、応答、スループット、および／または、容量を向上させてもよい。
【００２９】
［００３８］
図２Ａは、５Ｇ／ＮＲフレーム構造内の第１のサブフレームの例を示す図２００である。図２Ｂは、５Ｇ／ＮＲサブフレーム内のＤＬチャネルの例を示す図２３０である。図２Ｃは、５Ｇ／ＮＲフレーム構造内の第２のサブフレームの例を示す図２５０である。図２Ｄは、５Ｇ／ＮＲサブフレーム内のＵＬチャネルの例を示す図２８０である。５Ｇ／ＮＲフレーム構造は、副搬送波の特定のセット（搬送波システム帯域幅）に対して、副搬送波のセット内のサブフレームがＤＬまたはＵＬのいずれかに対して専用であるＦＤＤであってもよく、あるいは、副搬送波の特定のセット（搬送波システム帯域幅）に対して、副搬送波のセット内のサブフレームがＤＬおよびＵＬの両方に対して専用であるＴＤＤであってもよい。図２Ａ、図２Ｃにより提供される例では、５Ｇ／ＮＲフレーム構造は、ＴＤＤであると仮定され、サブフレーム４は、（大部分はＤＬである）スロットフォーマット２８で構成され、ＤはＤＬであり、ＵはＵＬであり、ＸはＤＬ／ＵＬ間の使用に対して柔軟であり、サブフレーム３は、（大部分はＵＬである）スロットフォーマット３４で構成されている。サブフレーム３、４がそれぞれスロットフォーマット３４、２８で示されているが、任意の特定のサブフレームは、さまざまな利用可能なスロットフォーマット０〜６１のいずれかにより構成されていてもよい。スロットフォーマット０、１は、それぞれ、すべてＤＬ、ＵＬである。他のスロットフォーマット２〜６１は、ＤＬとＵＬと柔軟なシンボルの混合を含んでいる。ＵＥは、受信したスロットフォーマットインジケータ（ＳＦＩ）による（ＤＬ制御情報（ＤＣＩ）を通して動的に、または、無線リソース制御（ＲＲＣ）シグナリングを通して準静的／静的に）、スロットフォーマットで構成されている。なお、以下の説明は、ＴＤＤである５Ｇ／ＮＲフレーム構造にも適用されることに留意されたい。他のワイヤレス通信技術は、異なるフレーム構造および／または異なるチャネルを有していてもよい。フレーム（１０ｍ秒）は、１０個の等しいサイズのサブフレーム（１ｍ秒）に分割してもよい。各サブフレームは、１つ以上のタイムスロットを含んでいてもよい。サブフレームはまた、７個、４個、または、２個のシンボルを含んでいてもよい、ミニスロットを含んでいてもよい。各スロットは、スロットコンフィギュレーションに依存して、７個または１４個のシンボルを含んでいてもよい。スロットコンフィギュレーション０に対して、各スロットは１４個のシンボルを含んでいてもよく、スロットコンフィギュレーション１に対して、各スロットは７個のシンボルを含んでいてもよい。ＤＬ上のシンボルは、サイクリックプレフィックス（ＣＰ）ＯＦＤＭ（ＣＰ−ＯＦＤＭ）シンボルであってもよい。ＵＬ上のシンボルは、（高スループットシナリオに対して）ＣＰ−ＯＦＤＭシンボル、または、（単一のストリーム送信に限定される、電力制限シナリオに対して、）（単一搬送波周波数分割多元接続（ＳＣ−ＦＤＭＡ）シンボルとしても呼ばれる）離散フーリエ変換（ＤＦＴ）拡散ＯＦＤＭ（ＤＦＴ−ｓ−ＯＦＤＭ）シンボルであってもよい。サブフレーム内のスロットの数は、スロットコンフィギュレーションとニューメロロジーとに基づいている。スロットコンフィギュレーション０に対して、異なるニューメロロジーμ０〜５は、サブフレームごとに、それぞれ、１、２、４、８、１６、および、３２個のスロットを可能にする。スロットコンフィギュレーション１に対して、異なるニューメロロジー０〜２は、サブフレームごとに、それぞれ、２、４、および、８個のスロットを可能にする。したがって、スロットコンフィギュレーション０およびニューメロロジーμに対して、１４個のシンボル／スロットおよび２μスロット／サブフレームが存在する。副搬送波間隔およびシンボル長／持続時間は、ニューメロロジーの関数である。副搬送波間隔は、２μ＊１５ｋＨｚに等しくてもよく、ここで、μは、ニューメロロジー０〜５である。このようなことから、ニューメロロジーμ＝０は、１５ｋＨｚの副搬送波間隔を有し、ニューメロロジーμ＝５は、４８０ｋＨｚの副搬送波間隔を有する。シンボル長／持続時間は、副搬送波間隔に反比例する。図２Ａ〜図２Ｄは、スロット当たり１４個のシンボルを有するスロットコンフィギュレーション０、および、サブフレーム当たり１個のスロットを有するニューメロロジーμ＝０の例を提供する。副搬送波間隔は、１５ｋＨｚであり、シンボル持続時間は、約６６．７μｓである。
【００３０】
［００３９］
フレーム構造を表すためにリソースグリッドを使用するかもしれない。各タイムスロットは、１２個の連続する副搬送波に広がる（物理ＲＢ（ＰＲＢ）としても呼ばれる）リソースブロック（ＲＢ）を含んでいる。リソースグリッドは、複数のリソースエレメント（ＲＥ）に分割される。各ＲＥにより搬送されるビットの数は、変調スキームに依存する。
【００３１】
［００４０］
図２Ａに示すように、ＲＥのうちのいくつかは、ＵＥに対する基準（パイロット）信号（ＲＳ）を搬送する。ＲＳは、復調ＲＳ（ＤＭ−ＲＳ）（１つの特定のコンフィギュレーションに対してＲｘとして示され、１００ｘはポート番号であるが、他のＤＭ−ＲＳコンフィギュレーションも可能である）と、ＵＥにおけるチャネル推定のためのチャネル状態情報基準信号（ＣＳＩ−ＲＳ）とを含んでいてもよい。ＲＳはまた、ビーム測定ＲＳ（ＢＲＳ）、ビーム微調節ＲＳ（ＢＲＲＳ）、および、位相追跡ＲＳ（ＰＴ−ＲＳ）を含んでいてもよい。
【００３２】
［００４１］
図２Ｂは、フレームのサブフレーム内のさまざまなＤＬチャネルの例を示している。物理ダウンリンク制御チャネル（ＰＤＣＣＨ）は、１つ以上の制御チャネル要素（ＣＣＥ）内でＤＣＩを搬送し、各ＣＣＥは、９つのＲＥグループ（ＲＥＧ）を含み、各ＲＥＧは、ＯＦＤＭシンボル中の４つの連続するＲＥを含んでいる。１次同期信号（ＰＳＳ）は、フレームの特定のサブフレームのシンボル２内であってもよい。ＰＳＳは、サブフレーム／シンボルタイミングと物理レイヤ識別とを決定するためにＵＥ１０４により使用される。２次同期信号（ＳＳＳ）は、フレームの特定のサブフレームのシンボル４内であってもよい。ＳＳＳは、物理レイヤセル識別グループ番号と無線フレームタイミングとを決定するためにＵＥにより使用される。ＵＥは、物理レイヤ識別と物理レイヤセル識別グループ番号とに基づいて、物理セル識別子（ＰＣＩ）を決定することができる。ＵＥは、ＰＣＩに基づいて、上述したＤＭ−ＲＳの位置を決定することができる。マスタ情報ブロック（ＭＩＢ）を搬送する物理ブロードキャストチャネル（ＰＢＣＨ）をＰＳＳおよびＳＳＳと論理的にグループ化して、同期信号（ＳＳ）／ＰＢＣＨブロックを形成してもよい。ＭＩＢは、システム帯域幅中のＲＢの数とシステムフレーム番号（ＳＦＮ）とを提供する。物理ダウンリンク共有チャネル（ＰＤＳＣＨ）は、ユーザデータと、システム情報ブロック（ＳＩＢ）のようなＰＢＣＨを通して送信されないブロードキャストシステム情報と、ページングメッセージとを搬送する。
【００３３】
［００４２］
図２Ｃに示すように、ＲＥのうちのいくつかは、基地局におけるチャネル推定のために、（１つの特定のコンフィギュレーションに対してＲとして示されるが、他のＤＭ−ＲＳコンフィギュレーションも可能である）ＤＭ−ＲＳを搬送する。ＵＥは、物理アップリンク制御チャネル（ＰＵＣＣＨ）に対するＤＭ−ＲＳと、物理アップリンク共有チャネル（ＰＵＳＣＨ）に対するＤＭ−ＲＳとを送信してもよい。ＰＵＳＣＨ  ＤＭ−ＲＳは、ＰＵＳＣＨの最初の１つまたは２つのシンボルで送信されてもよい。ＰＵＣＣＨ  ＤＭ−ＲＳは、ショートまたはロングＰＵＣＣＨが送信されるか否かに依存して、そして、使用される特定のＰＵＣＣＨフォーマットに依存して、異なるコンフィギュレーションで送信されてもよい。図示していないが、ＵＥはサウンディング基準信号（ＳＲＳ）を送信してもよい。チャネル品質推定のために基地局によりＳＲＳを使用して、ＵＬ上での周波数依存スケジューリングを可能にしてもよい。
【００３４】
［００４３］
図２Ｄは、フレームのサブフレーム内のさまざまなＵＬチャネルの例を示している。ＰＵＣＣＨは、１つのコンフィギュレーションで示されるように配置してもよい。ＰＵＣＣＨは、スケジューリング要求、チャネル品質インジケータ（ＣＱＩ）、プリコーディングマトリックスインジケータ（ＰＭＩ）、ランクインジケータ（ＲＩ）、ＨＡＲＱ  ＡＣＫ／ＮＡＣＫフィードバックのような、アップリンク制御情報（ＵＣＩ）を搬送する。ＰＵＳＣＨは、データを搬送し、バッファステータス報告（ＢＳＲ）、電力ヘッドルーム報告（ＰＨＲ）、および／または、ＵＣＩを搬送するために追加的に使用してもよい。
【００３５】
［００４４］
図３は、アクセスネットワーク中のＵＥ３５０と通信している基地局３１０のブロック図である。ＤＬでは、ＥＰＣ１６０からのＩＰパケットは、制御装置／プロセッサ３７５に提供されてもよい。制御装置／プロセッサ３７５は、レイヤ３およびレイヤ２の機能性を実現する。レイヤ３は、無線リソース制御（ＲＲＣ）レイヤを含み、レイヤ２は、サービスデータ適応プロトコル（ＳＤＡＰ）レイヤ、パケットデータコンバージェンスプロトコル（ＰＤＣＰ）レイヤ、無線リンク制御（ＲＬＣ）レイヤ、および、媒体アクセス制御（ＭＡＣ）レイヤを含んでいる。制御装置／プロセッサ３７５は、システム情報（例えば、ＭＩＢ、ＳＩＢ）のブロードキャストと、ＲＲＣ接続制御（例えば、ＲＲＣ接続ページング、ＲＲＣ接続確立、ＲＲＣ接続修正、および、ＲＲＣ接続解放）と、無線アクセス間技術（ＲＡＴ）モビリティと、ＵＥ測定報告のための測定コンフィギュレーションとに関係するＲＲＣレイヤ機能性；ヘッダ圧縮／解凍と、セキュリティ（暗号化、解読、完全性保護、完全性検証）と、ハンドオーバーサポート機能とに関係するＰＤＣＰレイヤ機能性；アッパーレイヤパケットデータユニット（ＰＤＵ）の転送と、ＡＲＱによるエラー訂正と、ＲＬＣサービスデータユニットの、連結、セグメント化、再アセンブリと、ＲＬＣデータＰＤＵの再セグメント化と、ＲＬＣデータＰＤＵの再順序付けとに関係するＲＬＣレイヤ機能性；論理チャネルと転送チャネルと間のマッピングと、ＭＡＣ  ＳＤＵの転送ブロック（ＴＢ）上への多重化と、ＴＢからのＭＡＣ  ＳＤＵの多重分離と、スケジュール情報報告と、ＨＡＲＱによるエラー訂正と、優先度取り扱いと、論理チャネル優先順位付けとに関係するＭＡＣレイヤ機能性を提供する。
【００３６】
［００４５］
送信（ＴＸ）プロセッサ３１６および受信（ＲＸ）プロセッサ３７０は、さまざまな信号処理機能に関係するレイヤ１の機能性を実現する。物理（ＰＨＹ）レイヤを含むレイヤ１は、転送チャネル上のエラー検出、転送チャネルのフォワードエラー訂正（ＦＥＣ）コーディング／デコーディング、インターリービング、レートマッチング、物理チャネルへのマッピング、物理チャネルの変調／復調、および、ＭＩＭＯアンテナ処理を含んでいてもよい。ＴＸプロセッサ３１６は、さまざまな変調スキーム（例えば、２値位相シフトキーイング（ＢＰＳＫ）、直交位相シフトキーイング（ＱＰＳＫ）、Ｍ位相シフトキーイング（Ｍ−ＰＳＫ）、Ｍ直交振幅変調（Ｍ−ＱＡＭ））に基づいて、信号コンスタレーションへのマッピングを取り扱う。次に、コード化され変調されたシンボルは、並列ストリームに分割されてもよい。次に、各ストリームは、ＯＦＤＭ副搬送波にマッピングされ、時間ドメインおよび／または周波数ドメインにおいて基準信号（例えば、パイロット）と多重化され、次に、逆高速フーリエ変換（ＩＦＦＴ）を使用して、一緒に組み合わされて、時間ドメインＯＦＤＭシンボルストリームを搬送する物理チャネルが生成されてもよい。ＯＦＤＭストリームは、空間的にプリコーディングされて、複数の空間ストリームが生成される。コーディングおよび変調スキームを決定するために、ならびに、空間処理のために、チャネル推定器３７４からのチャネル推定を使用してもよい。チャネル推定は、ＵＥ３５０により送信された基準信号および／またはチャネル条件フィードバックから導出されてもよい。次に、各空間ストリームは、別個の送信機３１８ＴＸを介して、異なるアンテナ３２０に提供されてもよい。各送信機３１８ＴＸは、送信のために、それぞれの空間ストリームによりＲＦ搬送波を変調してもよい。
【００３７】
［００４６］
ＵＥ３５０において、各受信機３５４ＲＸは、そのそれぞれのアンテナ３５２を介して、信号を受信する。各受信機３５４ＲＸは、ＲＦ搬送波上に変調された情報を復元し、その情報を受信（ＲＸ）プロセッサ３５６に提供する。ＴＸプロセッサ３６８およびＲＸプロセッサ３５６は、さまざまな信号処理機能に関係するレイヤ１の機能性を実現する。ＲＸプロセッサ３５６は、情報に対して空間処理を実行して、ＵＥ３５０に宛てられた任意の空間ストリームを復元してもよい。複数の空間ストリームがＵＥ３５０に宛てられている場合、これらは、ＲＸプロセッサ３５６により単一のＯＦＤＭシンボルストリームに組み合わされてもよい。ＲＸプロセッサ３５６は、次に、高速フーリエ変換（ＦＦＴ）を使用して、ＯＦＤＭシンボルストリームを時間ドメインから周波数ドメインに変換する。周波数ドメイン信号は、ＯＦＤＭ信号の各副搬送波に対する別個のＯＦＤＭシンボルストリームを含んでいる。各副搬送波上のシンボルと基準信号とは、基地局３１０により送信された最も可能性の高い信号コンスタレーションポイントを決定することにより、復元および復調される。これらの軟判定は、チャネル推定器３５８により計算されるチャネル推定に基づいていてもよい。次に、軟判定は、デコードされ、デインターリーブされて、物理チャネル上で基地局３１０により元々送信されたデータおよび制御信号が復元される。次に、データおよび制御信号は、レイヤ３およびレイヤ２の機能性を実現する制御装置／プロセッサ３５９に提供される。
【００３８】
［００４７］
制御装置／プロセッサ３５９は、プログラムコードおよびデータを記憶するメモリ３６０に関係付けることができる。メモリ３６０は、コンピュータ読取可能媒体として呼ばれることがある。ＵＬでは、制御装置／プロセッサ３５９は、転送チャネルと論理チャネルとの間の多重分離、パケット再アセンブリ、解読、ヘッダ解凍、および、制御信号処理を提供して、ＥＰＣ１６０からのＩＰパケットを復元する。制御装置／プロセッサ３５９はまた、ＡＣＫおよび／またはＮＡＣＫプロトコルを使用してエラー検出し、ＨＡＲＱ動作をサポートする役割を果たす。
【００３９】
［００４８］
基地局３１０によるＤＬ送信に関連して説明した機能性と同様に、制御装置／プロセッサ３５９は、システム情報（例えば、ＭＩＢ、ＳＩＢ）捕捉と、ＲＲＣ接続と、測定報告とに関係するＲＲＣレイヤ機能性；ヘッダ圧縮／解凍と、セキュリティ（暗号化、解読、完全性保護、完全性検証）とに関係するＰＤＣＰレイヤ機能性；アッパーレイヤＰＤＵの転送と、ＡＲＱによるエラー訂正と、ＲＬＣ  ＳＤＵの、連結、セグメント化、再アセンブリと、ＲＬＣデータＰＤＵの再セグメント化と、ＲＬＣデータＰＤＵの再順序付けとに関係するＲＬＣレイヤ機能性；論理チャネルと転送チャネルと間のマッピングと、ＭＡＣ  ＳＤＵのＴＢ上への多重化と、ＴＢからのＭＡＣ  ＳＤＵの多重分離と、スケジュール情報報告と、ＨＡＲＱによるエラー訂正と、優先度取り扱いと、論理チャネル優先順位付けとに関係するＭＡＣレイヤ機能性を提供する。
【００４０】
［００４９］
基地局３１０により送信される基準信号またはフィードバックから、チャネル推定器３５８により導出されるチャネル推定をＴＸプロセッサ３６８により使用して、適切なコーディングおよび変調スキームを選択し、空間処理を容易にしてもよい。ＴＸプロセッサ３６８により発生される空間ストリームは、別々の送信機３５４ＴＸを介して、異なるアンテナ３５２に提供されてもよい。各送信機３５４ＴＸは、送信のためにそれぞれの空間ストリームによりＲＦ搬送波を変調してもよい。
【００４１】
［００５０］
ＵＬ送信は、ＵＥ３５０における受信機機能に関連して説明したのと同様の方法で、基地局３１０において処理される。各受信機３１８ＲＸは、そのそれぞれのアンテナ３２０を介して、信号を受信する。各受信機３１８ＲＸは、ＲＦ搬送波上に変調された情報を復元して、その情報をＲＸプロセッサ３７０に提供する。
【００４２】
［００５１］
制御装置／プロセッサ３７５は、プログラムコードおよびデータを記憶するメモリ３７６に関係付けることができる。メモリ３７６は、コンピュータ読取可能媒体として呼ばれることがある。ＵＬでは、制御装置／プロセッサ３７５は、転送チャネルと論理チャネルとの間の多重分離、パケット再アセンブリ、解読、ヘッダ解凍、制御信号処理を提供して、ＵＥ３５０からのＩＰパケットを復元する。制御装置／プロセッサ３７５からのＩＰパケットは、ＥＰＣ１６０に提供されてもよい。制御装置／プロセッサ３７５はまた、ＡＣＫおよび／またはＮＡＣＫプロトコルを使用してエラー検出し、ＨＡＲＱ動作をサポートする役割を果たす。
【００４３】
［００５２］
さまざまなワイヤレス通信システムでは、送信機は、限定線形ダイナミックレンジを有する高出力増幅器のような、さまざまな非線形コンポーネントを含んでいるかもしれない。いくつかの非線形コンポーネントは、高いピーク対平均電力比（ＰＡＰＲ）が原因で、送信信号を歪ませるかもしれない。この歪みを低減させるために、バックオフが（例えば、送信電力に）適用されるかもしれない。しかしながら、バックオフは、電力効率を低減させるかもしれない。
【００４４】
［００５３］
放射電力の効率は、無線周波数（ＲＦ）送信機の設計において影響を及ぼすことがある。効率を向上させるために、信号の送信からの非線形推定に基づいて、少なくとも１つのＤＰＤおよび／または少なくとも１つのＤＰｏＤ動作を実行してもよい。例えば、送信機は、少なくとも１つのＤＰＤ動作を適用してもよく、および／または、受信機は、少なくとも１つのＤＰｏＤ動作を適用してもよい。少なくとも１つのＤＰＤ動作および／または少なくとも１つのＤＰｏＤ動作を実行するために、送信機および／または受信機中のさまざまなコンポーネント（例えば、増幅器、信号変換器など）の非線形特性が推定されてもよい。
【００４５】
［００５４］
本開示は、送信機および／または受信機のさまざまなコンポーネントの非線形特性の推定へのアプローチを提供するかもしれない。ここで説明するさまざまなアプローチは、データ駆動非線形推定を回避するかもしれず、データ駆動非線形推定は、１６直交振幅変調（ＱＡＭ）の変調スキームまたはより高い変調スキームによる、比較的高い信号対雑音比（ＳＮＲ）を有する信号に対する反復デコーディングを使用するかもしれない。さまざまなアプローチでは、プリアンブルのような、送信信号のさまざまな部分を、非線形推定のために使用してもよい。非線形コンポーネントの多くの（潜在的にすべての）ダイナミックレンジをカバーするために、非定包絡線コンスタレーションを使用して、送信された基準信号のダイナミックレンジを修正してもよい。本開示で説明するいくつかのアプローチは、（例えば、高出力増幅器に対する）非線形効果を回避するために、一定（または、何らかの成形パルスが原因で、ほぼ一定の）包絡線を有する信号プリアンブルを使用するかもしれない、いくつかのプロトコルとは異なっているかもしれない。一定（または、ほぼ一定の）包絡線を有する信号プリアンブルは、受信機による非線形推定を妨げるかもしれない。
【００４６】
［００５５］
図４は、ワイヤレス通信システム４００のコールフロー図である。ワイヤレス通信システム４００は、少なくとも１つの送信機４０２と、少なくとも１つの受信機４０４とを含んでいてもよい。送信機４０２および受信機４０４は、それぞれ、（例えば、アップリンク通信に対して）基地局およびＵＥとして示されているが、このアレンジメントは、例示的であると見なされるべきであり、送信機４０２および／または受信機４０４は、ワイヤレス通信のために構成されている任意の装置であってもよい。
【００４７】
［００５６］
送信機４０２および受信機４０４は、少なくとも１つの標準規格にしたがって、１つ以上のチャネル上で通信するように構成されていてもよい。例えば、送信機４０２および受信機４０４は、１つ以上の３ＧＰＰ標準規格（例えば、５Ｇ  ＮＲ、ＬＴＥなど）にしたがって通信するように構成されていてもよい。別の例では、送信機４０２および受信機４０４は、１つ以上のＩＥＥＥ標準規格（例えば、８０２．１１）にしたがって通信するように構成されていてもよい。上述の例は、例示的なものであることが意図され、ここで説明する態様は、ワイヤレス通信のための任意の標準規格および／またはプロトコルに適用可能であってもよい。
【００４８】
［００５７］
送信機４０２と受信機４０４との間の通信を改善するために、送信機／受信機パス（例えば、チャネル）に関係する１つ以上の非線形特性（または、係数）を推定することが有益かもしれない。１つ以上の非線形特性の推定は、受信機４０４からのフィードバックに基づいて、送信機４０２が少なくとも１つのＤＰＤ動作を実行することを可能にするかもしれず、および／または、受信機４０４による１つ以上の非線形特性の推定に基づいて、受信機４０４が少なくとも１つのＤＰｏＤ動作を実行することを可能にするかもしれない。そのように少なくとも１つのＤＰＤ動作および／または少なくとも１つのＤＰｏＤ動作を実行する際、送信機４０２および／または受信機４０４は、チャネルのスループット、容量、および／または、応答を向上させる一方で、放射電力の効率を改善させるかもしれない。
【００４９】
［００５８］
送信機４０２は、例えば、送信のための信号の発生に対応する送信チェーンの一部として、１つ以上の非線形コンポーネントを含んでいるかもしれない。このような非線形コンポーネントの例は、高出力増幅器（ＨＰＡ）（例えば、限定された線形ダイナミックレンジを有するＨＰＡ）、デジタルアナログ変換器（ＤＡＣ）などを含んでいる。非線形コンポーネントは、送信機４０２により送信された信号を歪ませるかもしれず、例えば、限定された線形ダイナミックレンジを有するＨＰＡは、比較的高いピーク対平均電力比（ＰＡＰＲ）が原因で、送信信号を歪ませるかもしれない。
【００５０】
［００５９］
送信チェーンと相補的に、受信機４０４は、受信チェーンを含んでいてもよい。受信チェーンは、１つ以上の非線形コンポーネントを含んでいるかもしれない。このような非線形コンポーネントの例は、低雑音増幅器（ＬＮＡ）、アナログデジタル変換器（ＡＤＣ）などを含んでいる。
【００５１】
［００６０］
このような非線形コンポーネントは、例えば、歪みを低減または消去するために、１つ以上の非線形コンポーネントの１つ以上の係数を調節することにより、送信の前に（例えば、送信機４０２による少なくとも１つのＤＰＤ動作）、および／または、受信の後に（例えば、受信機４０４による少なくとも１つのＤＰｏＤ動作）調節されてもよい。少なくとも１つのＤＰＤ動作および／または少なくとも１つのＤＰｏＤ動作を介して歪みを低減または消去するために、受信機４０４は、送信機４０２からの非定包絡線を有する信号に基づいて、１つ以上の非線形特性を決定（例えば、推定）してもよい。
【００５２】
［００６１］
態様によれば、送信機４０２は、受信機４０４による非線形推定のために、非定包絡線を有する基準信号４２２を発生させる（４２０）。ある態様では、信号の包絡線は、（例えば、時間期間に渡る）振幅の変化の輪郭を描いているかもしれない。定包絡線を有する信号は、ほぼ一定の振幅を有しているかもしれず、したがって、例えば、信号の絶対値はほぼ１である。結果として、非定包絡線を有する信号は、ほぼ一定の振幅を有しないかもしれない信号であるかもしれず、したがって、例えば、信号の絶対値はほぼ１ではない。例えば、送信機４０２は、基準信号４２２の絶対値をほぼ１に抑制するように試みることを控えるかもしれず、これは、非定包絡線を有する基準信号４２２となるかもしれない。
【００５３】
［００６２］
１つの態様では、送信機４０２は、比較的広いダイナミックレンジ（例えば、定包絡線に対応するダイナミックレンジを有するように変調された信号に対して、より広いダイナミックレンジ）を有するように、基準信号４２２の変調を設定してもよい。例えば、送信機４０２は、送信チェーン（例えば、ＨＰＡ、ＤＡＣなど）により達成可能な最も広い可能なダイナミックレンジを有するように、基準信号４２２の変調を設定してもよく、これは、受信機４０４が非線形特性のほぼフルセットを推定することを可能にするかもしれない。
【００５４】
［００６３］
例として、基準信号４２２は、図４に示すような、複数のサンプルとして示されてもよい。１つの態様では、送信機４０２は、ＱＡＭを使用して、基準信号４２２を変調してもよい。例えば、基準信号４２２は、１６ＱＡＭコンスタレーション、６４ＱＡＭコンスタレーション、２５６ＱＡＭコンスタレーションなどであってもよい（注、基準信号４２２は、任意の次数のＱＡＭのコンスタレーションであってもよく、先行する１６、６４、および、２５６次数は、例示として見なされるべきである）。別の態様では、送信機４０２は、別の変調スキームを使用して、基準信号４２２を変調してもよい。
【００５５】
［００６４］
１つの例では、基準信号４２２は、ダウンリンク信号またはアップリンク信号の少なくとも一部分を含んでいてもよい（例えば、基準信号４２２は、フレームの、サブフレームの、または、別の送信時間間隔（ＴＴＩ）の一部分として含まれていてもよい）。１つの例では、基準信号４２２は、個々の信号を含んでいてもよい（例えば、基準信号４２２は、バースト性通信の個々のバーストを含んでいてもよい）。１つの例では、基準信号４２２は、単一搬送波信号を含んでいてもよい。
【００５６】
［００６５］
さまざまな態様では、基準信号４２２は、例えば、ワイヤレス通信のための１つ以上の標準規格および／またはプロトコルにおいて規定されいるような、既知の基準信号を含んでいてもよい。例えば、既知の基準信号は、２値位相シフトキーイング（ＢＰＳＫ）のような、１つ以上の標準規格および／またはプロトコルにしたがって、位相シフトキーイングを使用して、変調されてもよい。しかしながら、上記で示したように、送信機４０２は、基準信号４２２が非定包絡線を有するように、基準信号４２２を変調してもよい。したがって、基準信号４２２は既知であるかもしれないが、基準信号４２２は、定包絡線を有しないかもしれない（例えば、１つ以上の既知の標準規格および／またはプロトコルにより規定されるとき、基準信号４２２は、そうでなければ、定包絡線を有するであろう）。いくつかの態様では、非定包絡線を有する基準信号４２２は、定包絡線を有する既知の基準信号とほぼ同じ平均電力を有していてもよい。
【００５７】
［００６６］
１つの例では、基準信号４２２は、信号を開始するプリアンブルを含んでいてもよい。１つの例では、基準信号４２２は、ガード期間（ＧＰ）またはガード間隔（ＧＩ）のような、プリアンブル以外の信号の別の部分であってもよい。１つの例では、基準信号４２２は、パイロット信号（例えば、ＬＴＥパイロット信号、５Ｇパイロット信号、ＷｉＦｉパイロット信号など）を含んでいてもよい。１つの例では、基準信号４２２は、非定包絡線を有するプリアンブルを含んでいてもよく、非定包絡線には、プリアンブルとは別個である、基準信号４２２の第２の部分が存在しないかもしれない。
【００５８】
［００６７］
８０２．１１を含むＩＥＥＥ標準規格の状況では、基準信号４２２は、ショートトレーニングシーケンス（ＳＴＳ）、チャネル推定シーケンス（ＣＥＳ）、（例えば、８０２．１１．ａｄ／８０２．１１．ａｙに対する）ＧＩ、または、別のシーケンスを含んでいてもよい。５Ｇおよび／またはＬＴＥを含む、３ＧＰＰ標準規格の状況では、基準信号４２２は、同期信号（例えば、ＰＳＳ）、Ｚａｄｏｆｆ−Ｃｈｕシーケンス、または、別のシーケンスを含んでいてもよい。
【００５９】
［００６８］
図４に示すように、送信機４０２は、受信機４０４による非線形推定のために、基準信号４２２を送信してもよい。受信機４０４は、非定包絡線を有する基準信号４２２を受信してもよい。
【００６０】
［００６９］
基準信号４２２は、１つ以上の標準規格および／またはプロトコルにより規定されているかもしれないので、基準信号４２２は、受信機４０４により知られているかもしれない。受信すると、受信機４０４は、非定包絡線を有する基準信号４２２に基づいて、１つ以上の非線形特性（例えば、係数）を推定してもよい（４２４）。
【００６１】
［００７０］
１つの態様では、受信機４０４は、最小二乗法を用いるアルゴリズムに基づいて、１つ以上の非線形特性を推定する（４２４）。例として、受信機４０４は、  
【数１】
2021507605.tif 000003
として、非線形特性を推定してもよい。先行する式では、ｘは、非定包絡線を有する送信された基準信号４２２を示していてもよい。これに対応して、ｙは、受信された基準信号４２２を示していてもよく、これは、  
【数２】
2021507605.tif 000004
として、モデル化されるかもしれない（ここで、ｎは雑音である）。（追加カーネルを追加することにより、任意の次数の非線形推定を達成することができるが）非線形カーネルは、  
【数３】
2021507605.tif 000005
として、示されるかもしれない。推定される非線形係数は、  
【数４】
2021507605.tif 000006
として、示されるかもしれない。したがって、上記で示したように、受信機４０４は、  
【数５】
2021507605.tif 000007
として、非線形特性または係数を推定するかもしれない（４２４）。先行する例は、例示的であると見なされるべきであり、したがって、受信機４０４は、１つ以上の非線形特性を推定する（４２４）ために、任意の適切なアルゴリズムを用いてもよい。
【００６２】
［００７１］
１つ以上の非線形特性の推定４２４に基づいて、受信機４０４は、送信機４０２および／または受信機４０４のうちの少なくとも１つにより、非線形性を低減（または、消去）させるために、１つ以上の動作を実行してもよい。
【００６３】
［００７２］
１つの態様では、受信機４０４は、１つ以上の非線形特性のうちの少なくとも１つを示すフィードバック４２６を発生させてもよい。例えば、受信機４０４は、基準信号４２２の非定包絡線を識別してもよく、これは、基準信号４２２中に存在する歪みを識別または検出することを含んでいるかもしれない。受信機４０４は、非定包絡線を示す（例えば、受信された基準信号４２２中に存在する歪みを示す）フィードバック４２６を発生させてもよい。受信機４０４は、発生させたフィードバック４２６を送信機４０２に送信してもよい。
【００６４】
［００７３］
これに応答して、送信機４０２は、受信したフィードバック４２６に基づいて、非線形性を低減（例えば、消去）させようと試みるかもしれない。例えば、送信機４０２は、フィードバック４２６により示される非定包絡線（例えば、受信機４０４により受信された基準信号４２２中の歪み）を識別してもよく、送信機４０２は、フィードバック４２６により示される非定包絡線に基づいて、１つ以上の動作を実行して、送信される信号の歪みを低減させることを改善させてもよい。送信機４０２は、フィードバック４２６に基づいて、少なくとも１つのＤＰＤ動作を実行してもよい（４２８）。１つの例では、送信機４０２は、送信機４０２の送信チェーンの１つ以上のコンポーネントの１つ以上の係数またはパラメータを調節してもよい。例えば、送信機４０２は、受信したフィードバック４２６に基づいて、ＨＰＡおよび／またはＤＡＣのうちの少なくとも１つに関係する１つ以上の係数を調節してもよい。
【００６５】
［００７４］
１つの態様では、受信機４０４は、推定した非線形特性に基づいて、非線形性を低減（例えば、消去）させることを試みるかもしれない。例えば、受信機４０４は、推定した非線形特性に基づいて、少なくとも１つのＤＰｏＤ動作を実行してもよい（４３０）。１つの例では、受信機４０４は、受信機４０４の受信チェーンの１つ以上のコンポーネントの１つ以上の係数またはパラメータを調節してもよい。例えば、受信機４０４は、推定した非線形特性に基づいて、ＬＮＡおよび／またはＡＤＣのうちの少なくとも１つに関係する１つ以上の係数を調節してもよい。
【００６６】
［００７５］
１つの態様では、受信機４０４および送信機４０２は、受信機４０４および送信機４０２の両方において、非線形性を低減（例えば、消去）させることを試みるかもしれない。したがって、受信機４０４は、送信機４０２が、フィードバック４２６に基づいて、少なくとも１つのＤＰＤ動作を実行できるように（４２８）、非線形特性に基づいて、フィードバック４２６を送信し、そして、非線形特性に基づいて、少なくとも１つのＤＰｏＤ動作を実行することの両方をしてもよい（４３０）。
【００６７】
［００７６］
上述した動作により、非線形性が低減され、または、消去されてもよい。非線形性の低減または消去は、例えば、送信機４０２および受信機４０４がワイヤレス通信システム４００において通信する少なくとも１つのチャネルの、スループット、容量、および／または、応答を改善することにより、送信機４０２と受信機４０４との間の通信を改善してもよい。
【００６８】
［００７７］
非線形性の低減または消去のためのこのアプローチは、非線形性の低減または消去に対する既存のアプローチに対応したオーバーヘッドを低減させるかもしれない。例えば、非線形性の低減または消去に対する既存のアプローチは、データ駆動であるかもしれず、反復デコーディングを伴うかもしれず、比較的高いＳＮＲに対してのみ効果的であるかもしれず、１６またはこれ以上である次数のＱＡＭ変調に対してのみ可能であるかもしれない。有利なことに、ここで説明する非線形性の低減または消去のための動作は、より電力効率が高く、計算コストが低く（例えば、あまり複雑でなく、反復デコーディングを低減または除去）、よりロバストであり（例えば、より大きいＳＮＲレンジに対して有効であり、より多くのおよび／または他の次数の変調スキームに対して有効であるなど）、および／または、非線形性の低減または消去に対する既存のアプローチよりも高速であるかもしれない。
【００６９】
［００７８］
図５は、２つのパラメータを使用してモデル化されたＨＰＡ特性５００の図である。図５では、メモリレスＨＰＡの振幅−振幅（ＡＭ／ＡＭ）モデリングが、シャープネスファクターのフィードバックを使用して図示され、同様のモデリングが、振幅−位相（ＡＭ／ＰＭ）に対して行われてもよい。  
【数６】
2021507605.tif 000008
【００７０】
［００７９］
態様では、ρは、電圧係数のような係数を示していてもよい。１つの例では、ρは、例えば、非線形性を低減または消去するために、送信チェーン中の送信機４０２により調節される係数（例えば、ＨＰＡの係数）であってもよい。Ｐｓａｔは、例えば、ＨＰＡが飽和しているときの電力を示していてもよい。Ｖｃｃは、電圧（例えば、電源電圧、これは正であるかもしれない）を示していてもよい。したがって、Ｆ（ρ）は、ＨＰＡのような、送信機４０２の送信チェーンのコンポーネントの出力を示していてもよい。
【００７１】
［００８０］
図５において、第１のグラフ５２０は、Ｖｃｃ＝３を有する固体電力増幅器（ＳＳＰＡ）ＡＭ／ＡＭモデルに対する例を示している。第１の曲線５２２は、ρ＝２．５を示している。第２の曲線５２４は、ρ＝２．１を示している。第３の曲線５２６は、ρ＝１．７を示している。第４の曲線５２８は、ρ＝１．４を示している。第５の曲線５３０は、ρ＝１．１を示している。第６の曲線５３２は、ρ＝０．７を示している。第７の曲線５３４は、ρ＝０．５を示している。
【００７２】
［００８１］
第２のグラフ５４０は、測定されるかもしれないＡＭ／ＡＭモデルの例を示している。測定された曲線５４２は、測定されたＦ（ρ）を示しているかもしれない。モデル化された曲線５４４は、ρ＝２．２およびＶｃｃ＝１．４を有するモデル化されたＦ（ρ）を示しているかもしれない。図示されているように、モデル化された曲線５４４は、測定された曲線５４２を近似している。
【００７３】
［００８２］
図６は、本開示のさまざまな態様による、ワイヤレス通信の方法６００を示すフローチャートである。方法６００は、図４の送信機４０２、図３の基地局３１０、および／または、図１の基地局１８０のような、送信機により実現してもよい。さまざまな態様では、１つ以上の動作は、（例えば、破線により表されるように）任意選択であってもよい。さらに、１つ以上の動作は、省略し、入れ替え、および／または、同時に実行してもよい。
【００７４】
［００８３］
動作６０２において開始し、送信機は、受信機による非線形推定のために、非定包絡線を有する基準信号を発生させてもよい。１つの態様では、基準信号は、ＰＳＳを含んでいてもよい。１つの態様では、基準信号は、Ｚａｄｏｆｆ−Ｃｈｕシーケンスのような、シーケンスに基づいてもよい。１つの態様では、基準信号は、ＳＴＳまたはＧＩのうちの少なくとも１つを含んでいてもよい。ある態様では、基準信号は、非定包絡線を有するプリアンブルを含み、非定包絡線には、プリアンブルとは別個である、基準信号の第２の部分が存在しないかもしれない。図４の状況では、送信機４０２は、受信機４０４による非線形推定のために、非定包絡線を有する基準信号４２２を発生させてもよい。
【００７５】
［００８４］
１つの態様では、動作６０２は、動作６２０を含んでいる。動作６２０において、送信機は、第１のダイナミックレンジを有するように基準信号を変調してもよく、第１のダイナミックレンジは、定包絡線を有する別の信号の第２のダイナミックレンジよりも相対的に広いかもしれない。例えば、第２のダイナミックレンジは、定包絡線を有する既知の基準信号のダイナミックレンジに対応していてもよい。図４の状況では、送信機４０２は、定包絡線を有する別の基準信号の第２のダイナミックレンジよりも相対的に広いかもしれない、第１のダイナミックレンジを有するように基準信号４２２を変調してもよい。
【００７６】
［００８５］
動作６０４において、送信機は、基準信号を送信してもよい。１つの態様では、送信機は、基準信号をブロードキャストしてもよい。別の態様では、送信機は、基準信号を受信機にユニキャストまたはマルチキャストしてもよい。図４の状況では、送信機４０２は、基準信号４２２を送信してもよい。
【００７７】
［００８６］
動作６０６において、送信機は、受信機から、非線形推定に関係するフィードバックを受信してもよい。例えば、フィードバックは、非定包絡線を有する基準信号に基づいて、受信機により推定された１つ以上の非線形特性または係数を示していてもよい。図４の状況では、送信機４０２は、受信機４０４から、受信機４０４による１つ以上の非線形特性の推定４２４に関係するフィードバック４２６を受信してもよい。
【００７８】
［００８７］
動作６０８において、送信機は、受信したフィードバックに基づいて、少なくとも１つのＤＰＤ動作を実行してもよい。１つの態様では、少なくとも１つのＤＰＤ動作は、１つ以上のコンポーネント（例えば、ＲＦフロントエンドコンポーネント）に適用されるべきであるアルゴリズムを含んでいてもよい。例えば、送信機は、送信機のコンポーネントに関係する１つ以上の係数を識別してもよい。コンポーネントは、例えば、増幅器、変換器、または、送信されるべき信号に影響を及ぼし、変換し、調節するなどするかもしれない他のコンポーネントを含んでいてもよい。送信機は、コンポーネントにより信号に導入される歪みを低減させ、コンポーネントの非線形性を低減させ、および／または、さもなければ、送信信号間の信号忠実度を改善させるために、ＤＰＤアルゴリズムを適用してもよい。アルゴリズムの適用において、送信機は、信号に影響を及ぼすかもしれないコンポーネントの１つ以上の係数を計算してもよい。例えば、非定包絡線を有する信号の後の、１つ以上の信号の送信のために、計算した係数を使用してもよい。図４の状況において、送信機４０２は、受信したフィードバック４２６に基づいて、少なくとも１つのＤＰＤ動作を実行してもよい（４２８）。
【００７９】
［００８８］
１つの態様では、動作６０８は、動作６２２を含んでいる。動作６２２において、送信機は、送信機の送信チェーンの１つ以上のコンポーネントに関係する１つ以上の係数を調節してもよい。例えば、送信機は、フィードバックに基づいて、非線形性に寄与するＨＰＡおよび／またはＤＡＣの少なくとも１つの係数を識別してもよく、送信機は、非線形性を低減または消去するために（例えば、信号忠実度を改善するために）、受信したフィードバックに基づいている値に、少なくとも１つの係数を設定してもよい。図４の状況では、送信機４０２は、受信したフィードバック４２６に基づいて、ＨＰＡまたはＤＡＣのうちの少なくとも１つに関係する１つ以上の係数を調節してもよい。
【００８０】
［００８９］
図７は、本開示のさまざまな態様による、ワイヤレス通信の方法７００を示すフローチャートである。方法７００は、図４の受信機４０４、図３のＵＥ３５０、および／または、図１のＵＥ１０４のような、受信機により実現してもよい。さまざまな態様では、１つ以上の動作は、（例えば、破線により表されるように）任意選択であってもよい。さらに、１つ以上の動作は、省略し、入れ替え、および／または、同時に実行してもよい。
【００８１】
［００９０］
動作７０２で開始して、受信機は、非定包絡線を有する基準信号を受信してもよい。１つの態様では、基準信号は、ＰＳＳを含んでいてもよい。１つの態様では、基準信号は、Ｚａｄｏｆｆ−Ｃｈｕシーケンスのような、シーケンスに基づいていてもよい。１つの態様では、基準信号は、ＳＴＳまたはＧＩのうちの少なくとも１つを含んでいてもよい。ある態様では、基準信号は、非定包絡線を有するプリアンブルを含み、非定包絡線には、プリアンブルとは別個である、基準信号の第２の部分が存在しないかもしれない。図４の状況では、受信機４０４は、送信機４０２から基準信号４２２を受信してもよい。
【００８２】
［００９１］
動作７０４において、受信機は、非定包絡線を有する基準信号に基づいて、少なくとも１つの非線形特性を推定してもよい。１つの態様では、受信機は、最小二乗法に基づいているアルゴリズムを使用して、少なくとも１つの非線形特性を推定してもよい。図４の状況では、受信機４０４は、非定包絡線を有する基準信号４２２に基づいて、少なくとも１つの非線形特性を推定４２４してもよい。
【００８３】
［００９２］
動作７０６において、受信機は、少なくとも１つの非線形特性に基づいて、フィードバックを送信機に送信してもよい。例えば、受信機は、１つ以上の非線形特性を示す１つ以上の値を選択してもよく、受信機は、送信機が少なくとも１つのＤＰＤ動作を実行して、非線形性を低減または消去できるように、送信機に送信されるべきメッセージ中に１つ以上の値を含めてもよい。図４の状況では、受信機４０４は、１つ以上の非線形特性の推定４２４に基づいているフィードバック４２６を送信機４０２に送信してもよい。
【００８４】
［００９３］
動作７０８において、受信機は、受信機により推定した少なくとも１つの非線形特性に基づいて、少なくとも１つのＤＰｏＤ動作を実行してもよい。１つの態様では、少なくとも１つのＤＰｏＤ動作は、１つ以上のコンポーネント（例えば、ＲＦフロントエンドコンポーネント）に適用されるべきであるアルゴリズムを含んでいてもよい。例えば、受信機は、受信機のコンポーネントに関係する１つ以上の係数を識別してもよい。コンポーネントは、例えば、増幅器、変換器、または、受信すべき信号に影響を及ぼし、変換し、調節するなどするかもしれない他のコンポーネントを含んでいてもよい。受信機は、コンポーネントにより信号に導入される歪みを低減させ、コンポーネントの非線形性を低減させ、および／または、さもなければ、信号の受信間の信号忠実度を改善させるために、ＤＰｏＤアルゴリズムを適用してもよい。アルゴリズムの適用において、受信機は、信号に影響を及ぼすかもしれないコンポーネントの１つ以上の係数を計算してもよい。例えば、非定包絡線を有する信号の後の、１つ以上の信号の受信のために、計算した係数を使用してもよい。図４の状況では、受信機４０４は、少なくとも１つの非線形特性の推定４２４に基づいて、少なくとも１つのＤＰｏＤ動作を実行してもよい（４３０）。
【００８５】
［００９４］
１つの態様では、動作７０８は、動作７２０を含んでいる。動作７２０において、受信機は、受信機の受信チェーンの１つ以上のコンポーネントに関係する１つ以上の係数を調節してもよい。例えば、受信機は、推定した非線形特性に基づいて、非線形性に寄与するＬＮＡおよび／またはＡＤＣの少なくとも１つの係数を識別してもよく、受信機は、非線形性を低減または消去するために、推定した非線形特性に基づいている値に、少なくとも１つの係数を設定してもよい。図４の状況では、受信機４０４は、推定した非線形特性に基づいて、ＬＮＡまたはＡＤＣのうちの少なくとも１つに関係する１つ以上の係数を調節してもよい。
【００８６】
［００９５］
上述したように、受信機は、動作７０６および動作７０８のうちの少なくとも１つを実行してもよい。したがって、送信機または受信機のうちの少なくとも１つは、それぞれ、少なくとも１つのＤＰＤ動作および／または少なくとも１つのＤＰｏＤ動作を実行することにより、非線形性を低減または消去しようと試みるかもしれない。したがって、１つの態様では、動作７０６を実行してもよく、動作７０８を省略してもよい。別の態様では、動作７０６を省略してもよく、動作７０８を実行してもよい。第３の態様では、動作７０６および動作７０８の両方を実行してもよい（注、１つの態様では、動作７０６および動作７０８は入れ替えてもよい）。
【００８７】
［００９６］
図８は、例示的な装置８０２における異なる手段／コンポーネント間のデータフローを示す概念データフロー図８００である。装置は、基地局のような送信機であってもよい。装置８０２は、ＵＥ８５０から信号を受信する受信コンポーネント８０４を含んでいる。装置８０２は、ＵＥ８５０に信号を送信する送信コンポーネント８１０を含んでいる。
【００８８】
［００９７］
信号コンポーネント８０６は、非定包絡線を有する基準信号を発生させてもよい。信号は、ＵＥ８５０による非線形推定のために発生されてもよい。１つの態様では、基準信号は、ＰＳＳを含んでいてもよい。１つの態様では、ＰＳＳは、Ｚａｄｏｆｆ−Ｃｈｕシーケンスに基づいていてもよい。信号コンポーネント８０６は、ＳＴＳおよび／またはＧＩのうちの１つを含むように基準信号を発生させてもよい。信号コンポーネント８０６は、基準信号のプリアンブルに非定包絡線が適用されるように、基準信号を発生させてもよい。
【００８９】
［００９８］
信号コンポーネント８０６は、第１のダイナミックレンジを有するように基準信号を変調することにより、非定包絡線を有するように基準信号を発生させてもよい。第１のダイナミックレンジは、信号コンポーネント８０６により発生されるかもしれない、定包絡線を有する別の信号の第２のダイナミックレンジよりも広いかもしれない。
【００９０】
［００９９］
信号コンポーネント８０６は、ＵＥ８５０への送信のために、基準信号を送信コンポーネント８１０に提供してもよい。ＵＥ８５０は、信号を受信してもよく、ＵＥ８５０は、基準信号に基づいて、非線形推定に関係するフィードバックを送信してもよい。
【００９１】
［００１００］
受信コンポーネント８０４は、フィードバックを受信し、フィードバックをフィードバックコンポーネント８０８に提供してもよい。フィードバックコンポーネント８０８は、受信されたフィードバックに基づいて、少なくとも１つのＤＰＤ動作を実行してもよい。例えば、フィードバックコンポーネント８０８は、装置８０２のＨＰＡおよび／またはＤＡＣのうちの少なくとも１つに関係する１つ以上の係数を調節してもよい。追加の信号の送信のために、調節された係数を使用してもよい。
【００９２】
［００１０１］
装置は、図６の上述のフローチャート中のアルゴリズムのブロックのそれぞれを実行する追加のコンポーネントを含んでいてもよい。したがって、図６の上述のフローチャート中の各ブロックは、コンポーネントにより実行してもよく、装置は、これらのコンポーネントのうちの１つ以上を含んでいてもよい。コンポーネントは、プロセッサによる実現のためにコンピュータ読取可能媒体内に記憶されている、述べられたプロセス／アルゴリズムを実行するように構成されているプロセッサにより実現される、述べられたプロセス／アルゴリズムを実行するように特に構成されている、１つ以上のハードウェアコンポーネント、または、これらの何らかの組み合わせであってもよい。
【００９３】
［００１０２］
図９は、処理システム９１４を用いる装置８０２’のためのハードウェアインプリメンテーションの例を示す図９００である。処理システム９１４は、バス９２４により一般的に表されるバスアーキテクチャにより実現してもよい。バス９２４は、処理システム９１４の特定の適用および全体的な設計制約に依存して、任意の数の相互接続バスおよびブリッジを含んでいてもよい。バス９２４は、プロセッサ９０４、コンポーネント８０４、８０６、８０８、８１０、および、コンピュータ読取可能媒体／メモリ９０６により表される、１つ以上のプロセッサおよび／またはハードウェアコンポーネントを含む、さまざまな回路を互いにリンクさせる。バス９２４はまた、タイミングソース、周辺機器、電圧レギュレータ、および、電力管理回路のような、他のさまざまな回路をリンクしてもよく、これらは、技術的によく知られており、したがって、これ以上説明しない。
【００９４】
［００１０３］
処理システム９１４は、トランシーバ９１０に結合されていてもよい。トランシーバ９１０は、１つ以上のアンテナ９２０に結合されている。トランシーバ９１０は、送信媒体を介して、他のさまざまな装置と通信する手段を提供する。トランシーバ９１０は、１つ以上のアンテナ９２０から信号を受け取り、受け取った信号から情報を抽出し、抽出した情報を処理システム９１４、具体的には受信コンポーネント８０４に提供する。さらに、トランシーバ９１０は、処理システム９１４、具体的には送信コンポーネント８１０から情報を受け取り、受け取った情報に基づいて、１つ以上のアンテナ９２０に適用されるべき信号を発生させる。処理システム９１４は、コンピュータ読取可能媒体／メモリ９０６に結合されているプロセッサ９０４を含んでいる。プロセッサ９０４は、コンピュータ読取可能媒体／メモリ９０６上に記憶されているソフトウェアの実行を含む、一般的な処理の役割を果たす。ソフトウェアは、プロセッサ９０４により実行されるとき、処理システム９１４に、任意の特定の装置のために上記で説明したさまざまな機能を実行させる。コンピュータ読取可能媒体／メモリ９０６はまた、ソフトウェアを実行するときにプロセッサ９０４により操作されるデータを記憶するために使用してもよい。処理システム９１４は、コンポーネント８０４、８０６、８０８のうちの少なくとも１つをさらに含んでいる。コンポーネントは、コンピュータ読取可能媒体／メモリ９０６に常駐／記憶され、プロセッサ９０４において実行されるソフトウェアコンポーネント、プロセッサ９０４に結合されている１つ以上のハードウェアコンポーネント、または、これらの何らかの組み合わせであってもよい。処理システム９１４は、基地局３１０のコンポーネントであってもよく、メモリ３７６を、ならびに／あるいは、ＴＸプロセッサ３１６、ＲＸプロセッサ３７０、および、制御装置／プロセッサ３７５のうちの少なくとも１つを含んでいてもよい。
【００９５】
［００１０４］
１つのコンフィギュレーションでは、ワイヤレス通信のための装置８０２／８０２’は、受信機による非線形推定のために、非定包絡線を有する基準信号を装置８０２／８０２’により発生させる手段を含んでいる。装置８０２／８０２’は、装置により、基準信号を送信する手段を含んでいてもよい。１つの態様では、基準信号は、１次同期信号を含んいでいる。１つの態様では、１次同期信号は、Ｚａｄｏｆｆ−Ｃｈｕシーケンスに基づいている。１つの態様では、基準信号は、ＳＴＳまたはＧＩのうちの１つを含んでいる。ある態様では、基準信号は、非定包絡線を有するプリアンブルを含んでいる。ある態様では、非定包絡線を有する基準信号を発生させる手段は、第１のダイナミックレンジを有するように基準信号を変調するように構成され、第１のダイナミックレンジは、定包絡線を有する別の信号の第２のダイナミックレンジよりも広い。１つの態様では、装置８０２／８０２’は、非線形推定に関係するフィードバックを受信機から受信する手段と、フィードバックに基づいて、少なくとも１つのＤＰＤ動作を実行する手段とをさらに含んでいる。１つの態様では、フィードバックに基づいて、少なくとも１つのＤＰＤ動作を実行する手段は、ＨＰＡまたはＤＡＣのうちの少なくとも１つに関係する１つ以上の係数を調節するように構成されている。
【００９６】
［００１０５］
上述の手段は、上述の手段により列挙されている機能を実行するように構成されている、装置８０２のおよび／または装置８０２’の処理システム９１４の、上述のコンポーネントうちの１つ以上であってもよい。上記で説明したように、処理システム９１４は、ＴＸプロセッサ３１６、ＲＸプロセッサ３７０、および、制御装置／プロセッサ３７５を含んでいてもよい。したがって、１つのコンフィギュレーションでは、前述の手段は、上述の手段により列挙されている機能を実行するように構成されている、ＴＸプロセッサ３１６、ＲＸプロセッサ３７０、および、制御装置／プロセッサ３７５であってもよい。
【００９７】
［００１０６］
図１０は、例示的な装置１００２における異なる手段／コンポーネント間のデータフローを示す概念データフロー図１０００である。装置は、ＵＥのような、送信機であってもよい。装置１００２は、例えば、基地局１０５０から信号を受信する受信コンポーネント１００４を含んでいてもよい。装置１００２は、例えば、基地局１０５０に信号を送信する送信コンポーネント１０１０を含んでいてもよい。
【００９８】
［００１０７］
受信コンポーネント１００４は、非定包絡線を有する基準信号を基地局１０５０から受信してもよい。受信コンポーネント１００４は、基準信号を信号コンポーネント１００８に提供してもよい。１つの態様では、基準信号は、ＰＳＳを含んでいてもよい。１つの態様では、ＰＳＳは、Ｚａｄｏｆｆ−Ｃｈｕシーケンスに基づいていてもよい。１つの態様では、基準信号は、ＳＴＳおよび／またはＧＩのうちの少なくとも１つを含んでいる。１つの態様では、基準信号は、非定包絡線を有するプリアンブルを含んでいる。
【００９９】
［００１０８］
信号コンポーネント１００８は、非定包絡線を有する基準信号に基づいて、少なくとも１つの非線形特性を推定してもよい。１つの態様では、信号コンポーネント１００８は、最小二乗アルゴリズムに基づいて、少なくとも１つの非線形特性を推定してもよい。
【０１００】
［００１０９］
信号コンポーネント１００８は、少なくとも１つの非線形特性をフィードバックコンポーネント１００６に提供してもよい。１つの態様では、フィードバックコンポーネント１００６は、少なくとも１つの非線形特性に基づいて、フィードバックを発生させてもよい。フィードバックコンポーネント１００６は、基地局１０５０への送信のために、フィードバックを送信コンポーネント１０１０に提供してもよい。
【０１０１】
［００１１０］
１つの態様では、フィードバックコンポーネント１００６は、少なくとも１つの非線形特性に基づいて、少なくとも１つのＤＰｏＤ動作を実行してもよい。フィードバックコンポーネント１００６は、ＬＮＡおよび／またはＡＤＣのうちの少なくとも１つに関係する１つ以上の係数を調節することにより、少なくとも１つのＤＰｏＤ動作を実行してもよい。基地局１０５０から追加の信号を受信するために、調節した係数を使用してもよい。
【０１０２】
［００１１１］
装置は、図７の上述のフローチャート中のアルゴリズムのブロックのそれぞれを実行する追加のコンポーネントを含んでいてもよい。したがって、図７の上述のフローチャート中の各ブロックは、コンポーネントにより実行してもよく、装置は、これらのコンポーネントのうちの１つ以上を含んでいてもよい。コンポーネントは、プロセッサによる実現のためにコンピュータ読取可能媒体内に記憶されている、述べられたプロセス／アルゴリズムを実行するように構成されているプロセッサにより実現される、述べられたプロセス／アルゴリズムを実行するように特に構成されている、１つ以上のハードウェアコンポーネント、または、これらの何らかの組み合わせであってもよい。
【０１０３】
［００１１２］
図１１は、処理システム１１１４を用いる装置１００２’のためのハードウェアインプリメンテーションの例を示す図１１００である。処理システム１１１４は、バス１１２４により一般的に表されるバスアーキテクチャで実現してもよい。バス１１２４は、処理システム１１１４の特定の適用および全体的な設計制約に依存して、任意の数の相互接続バスおよびブリッジを含んでいてもよい。バス１１２４は、プロセッサ１１０４、コンポーネント１００４、１００６、１００８、１０１０、および、コンピュータ読取可能媒体／メモリ１１０６により表される、１つ以上のプロセッサおよび／またはハードウェアコンポーネントを含む、さまざまな回路を互いにリンクさせる。バス１１２４はまた、タイミングソース、周辺機器、電圧レギュレータ、および、電力管理回路のような、他のさまざまな回路をリンクしてもよく、これらは、技術的によく知られており、したがって、これ以上説明しない。
【０１０４】
［００１１３］
処理システム１１１４は、トランシーバ１１１０に結合されていてもよい。トランシーバ１１１０は、１つ以上のアンテナ１１２０に結合されている。トランシーバ１１１０は、送信媒体を介して、他のさまざまな装置と通信する手段を提供する。トランシーバ１１１０は、１つ以上のアンテナ１１２０から信号を受け取り、受け取った信号から情報を抽出し、抽出した情報を処理システム１１１４、具体的には受信コンポーネント１００４に提供する。さらに、トランシーバ１１１０は、処理システム１１１４、具体的には送信コンポーネント１０１０から情報を受け取り、受け取った情報に基づいて、１つ以上のアンテナ１１２０に適用されるべき信号を発生させる。処理システム１１１４は、コンピュータ読取可能媒体／メモリ１１０６に結合されているプロセッサ１１０４を含んでいる。プロセッサ１１０４は、コンピュータ読取可能媒体／メモリ１１０６上に記憶されているソフトウェアの実行を含む、一般的な処理の役割を果たす。ソフトウェアは、プロセッサ１１０４により実行されるとき、処理システム１１１４に、任意の特定の装置のための上記で説明したさまざまな機能を実行させる。コンピュータ読取可能媒体／メモリ１１０６はまた、ソフトウェアを実行するときにプロセッサ１１０４により操作されるデータを記憶するために使用してもよい。処理システム１１１４は、コンポーネント１００４、１００６、１００８、１０１０のうちの少なくとも１つをさらに含んでいる。コンポーネントは、コンピュータ読取可能媒体／メモリ１１０６に常駐／記憶され、プロセッサ１１０４において実行されるソフトウェアコンポーネント、プロセッサ１１０４に結合されている１つ以上のハードウェアコンポーネント、または、これらの何らかの組み合わせであってもよい。処理システム１１１４は、ＵＥ３５０のコンポーネントであってもよく、メモリ３６０を、ならびに／あるいは、ＴＸプロセッサ３６８、ＲＸプロセッサ３５６、および、制御装置／プロセッサ３５９のうちの少なくとも１つを含んでいてもよい。
【０１０５】
［００１１４］
１つのコンフィギュレーションでは、ワイヤレス通信のための装置１００２／１００２’は、非線形推定に関係するフィードバックを受信機から受信する手段を含んでいる。装置１００２／１００２’は、非定包絡線を有する基準信号を受信する手段を含んでいてもよい。装置１００２／１００２’は、非定包絡線を有する基準信号に基づいて、少なくとも１つの非線形特性を推定する手段を含んでいてもよい。装置１００２／１００２’は、少なくとも１つの非線形特性に基づいて、フィードバックを送信する手段、または、少なくとも１つの非線形特性に基づいて、少なくとも１つのＤＰｏＤ動作を実行する手段のうちの少なくとも１つを含んでいてもよい。ある態様では、基準信号は、１次同期信号を含んでいる。ある態様では、１次同期信号は、Ｚａｄｏｆｆ−Ｃｈｕシーケンスに基づいている。ある態様では、基準信号は、ＳＴＳまたはＧＩのうちの１つを含んでいる。ある態様では、基準信号は、非定包絡線を有するプリアンブルを含んでいる。ある態様では、非定包絡線を有する基準信号に基づいて、少なくとも１つの非線形特性を推定することは、最小二乗アルゴリズムに基づいている。ある態様では、少なくとも１つの非線形特性に基づいて、少なくとも１つのＤＰｏＤ動作を実行する手段は、ＬＮＡまたはＡＤＣのうちの少なくとも１つに関係する１つ以上の係数を調節するように構成されている。
【０１０６】
［００１１５］
上述の手段は、上述の手段により列挙されている機能を実行するように構成されている装置１００２のおよび／または装置１００２’の処理システム１１１４の、上述のコンポーネントうちの１つ以上であってもよい。上記で説明したように、処理システム１１１４は、ＴＸプロセッサ３６８、ＲＸプロセッサ３５６、および、制御装置／プロセッサ３５９を含んでいてもよい。したがって、１つのコンフィギュレーションでは、前述の手段は、上述の手段により列挙されている機能を実行するように構成されている、ＴＸプロセッサ３６８、ＲＸプロセッサ３５６、および、制御装置／プロセッサ３５９であってもよい。
【０１０７】
［００１１６］
開示されたプロセス／フローチャートにおけるブロックの具体的な順序または階層は、例示的なアプローチの例示であることが理解される。設計の選好に基づいて、プロセス／フローチャート中のブロックの特定の順序または階層は、再配置してもよいことが理解される。さらに、いくつかのブロックを組み合わせ、または、省略してもよい。添付の方法請求項は、さまざまなブロックの要素をサンプル順序で提示しており、提示された特定の順序または階層に限定されるものではない。
【０１０８】
［００１１７］
先の説明は、当業者がここで説明したさまざまな態様を実施できるようにするために提供している。これらの態様へのさまざまな修正は、当業者にとって容易に明らかとなり、ここで規定している包括的な原理を他の態様に適用してもよい。したがって、ここで示している態様に限定されることを特許請求の範囲は意図しておらず、しかしながら、特許請求の範囲の文言と一致するすべての範囲が与えられるべきであり、単数形での要素への参照は、特にそのように述べられていない限り「１つおよび１つのみ」を意味するように意図されず、むしろ「１つ以上の」を意味するように意図されている。ワード「例示的な」は、「例、事例、または、例示として役割を果たすこと」を意味するようにここで使用される。「例示的」として、ここで説明するいずれの態様も、他の態様と比較して、必ずしも好ましいものとして、または、有利なものとして解釈すべきではない。特にそうではないことが述べられていない限り、用語「いくつかの」は１つ以上を指す。「Ａ、Ｂ、または、Ｃのうちの少なくとも１つ」、「Ａ、Ｂ、または、Ｃのうちの１つ以上」、「Ａ、Ｂ、および、Ｃのうちの少なくとも１つ」、「Ａ、Ｂ、および、Ｃのうちの１つ以上」、および、「Ａ、Ｂ、Ｃ、または、それらの任意の組み合わせ」のような組み合わせは、Ａ、Ｂ、および／または、Ｃの任意の組み合わせを含み、複数のＡ、複数のＢ、または、複数のＣを含むことができる。特に、「Ａ、Ｂ、または、Ｃのうちの少なくとも１つ」、「Ａ、Ｂ、または、Ｃのうちの１つ以上」、「Ａ、Ｂ、および、Ｃのうちの少なくとも１つ」、「Ａ、Ｂ、および、Ｃのうちの１つ以上」、および、「Ａ、Ｂ、Ｃ、または、それらの任意の組み合わせ」のような組み合わせは、Ａのみ、Ｂのみ、Ｃのみ、ＡとＢ、ＡとＣ、ＢとＣ、または、ＡとＢとＣであることができ、ここで、任意のこのような組み合わせは、Ａ、Ｂ、または、Ｃのうちの１つ以上のメンバーを含むことができる。当業者に知られている、あるいは後に知られることになる本開示全体に渡って説明されているさまざまな態様の要素に対するすべての構造的および機能的な均等物は、参照によってここに明確に組み込まれ、特許請求の範囲によって包含されるように意図されている。さらに、ここで開示したものは、このような開示が、特許請求の範囲中に明示的に記載されているか否かにかかわらず、公共に捧げられることを意図していない。ワード「モジュール」、「メカニズム」、「要素」、「デバイス」、および、これらに類するものは、ワード「手段」に置き換えられないかもしれない。このようなことから、要素がフレーズ「のための手段」を使用して明示的に記載されない限り、どの請求項の要素もミーンズプラスファンクションとして解釈すべきではない。
【図１】
2021507605.tif 000009
【図２Ａ】
2021507605.tif 000010
【図２Ｂ】
2021507605.tif 000011
【図２Ｃ】
2021507605.tif 000012
【図２Ｄ】
2021507605.tif 000013
【図３】
2021507605.tif 000014
【図４】
2021507605.tif 000015
【図５】
2021507605.tif 000016
【図６】
2021507605.tif 000017
【図７】
2021507605.tif 000018
【図８】
2021507605.tif 000019
【図９】
2021507605.tif 000020
【図１０】
2021507605.tif 000021
【図１１】
2021507605.tif 000022
【手続補正書】
【提出日】令和2年6月16日(2020.6.16)
【手続補正１】
【補正対象書類名】特許請求の範囲
【補正対象項目名】全文
【補正方法】変更
【補正の内容】
【特許請求の範囲】
【請求項１】
送信機によるワイヤレス通信の方法において、
前記送信機により、受信機による非線形推定のために、非定包絡線を有する基準信号を発生させることと、
前記送信機により、前記基準信号を送信することとを含み、
前記基準信号を発生させることは、第１のダイナミックレンジを有するように前記基準信号を変調することを含み、前記第１のダイナミックレンジは、定包絡線を有する別の信号の第２のダイナミックレンジよりも広い方法。
【請求項２】
前記基準信号は、１次同期信号を含む請求項１記載の方法。
【請求項３】
前記１次同期信号は、Ｚａｄｏｆｆ−Ｃｈｕシーケンスに基づいている請求項２記載の方法。
【請求項４】
前記基準信号は、ショートトレーニングシーケンス（ＳＴＳ）またはガード間隔（ＧＩ）のうちの１つを含む請求項１記載の方法。
【請求項５】
前記基準信号は、前記非定包絡線を有するプリアンブルを含む請求項１記載の方法。
【請求項６】
前記非線形推定に関係するフィードバックを前記受信機から受信することと、
前記フィードバックに基づいて、少なくとも１つのデジタルプリディストーション（ＤＰＤ）動作を実行することとをさらに含む請求項１記載の方法。
【請求項７】
前記フィードバックに基づく少なくとも１つのＤＰＤ動作の実行は、高出力増幅器（ＨＰＡ）またはデジタルアナログ変換器（ＤＡＣ）のうちの少なくとも１つに関係する１つ以上の係数を調節することを含む請求項６記載の方法。
【請求項８】
受信機によるワイヤレス通信の方法において、
非定包絡線を有する基準信号を受信することと、
前記非定包絡線を有する基準信号に基づいて、少なくとも１つの非線形特性を推定することと、
前記少なくとも１つの非線形特性に基づいて、フィードバックを送信することと、
または、
前記少なくとも１つの非線形特性に基づいて、少なくとも１つのデジタルポストディストーション（ＤＰｏＤ）動作を実行することと、のうちの少なくとも１つとを含み、
前記基準信号は、定包絡線を有する別の信号の第２のダイナミックレンジよりも広い第１のダイナミックレンジを有する方法。
【請求項９】
前記基準信号は、１次同期信号を含む請求項８記載の方法。
【請求項１０】
前記１次同期信号は、Ｚａｄｏｆｆ−Ｃｈｕシーケンスに基づいている請求項８記載の方法。
【請求項１１】
前記基準信号は、ショートトレーニングシーケンス（ＳＴＳ）またはガード間隔（ＧＩ）のうちの１つを含む請求項８記載の方法。
【請求項１２】
前記基準信号は、前記非定包絡線を有するプリアンブルを含む請求項８記載の方法。
【請求項１３】
前記非定包絡線を有する基準信号に基づく少なくとも１つの非線形特性の推定が、最小二乗アルゴリズムに基づいている請求項８記載の方法。
【請求項１４】
前記少なくとも１つの非線形特性に基づく少なくとも１つのＤＰｏＤ動作の実行は、低雑音増幅器（ＬＮＡ）またはアナログデジタル変換器（ＡＤＣ）のうちの少なくとも１つに関係する１つ以上の係数を調節することを含む請求項８記載の方法。
【請求項１５】
ワイヤレス通信のための装置において、
メモリと、
前記メモリに結合されている少なくとも１つのプロセッサとを具備し、
前記少なくとも１つのプロセッサは、
受信機による非線形推定のために、非定包絡線を有する基準信号を発生させ、
前記基準信号を送信するように構成され、
前記基準信号の発生は、第１のダイナミックレンジを有するように前記基準信号を変調することを含み、前記第１のダイナミックレンジは、定包絡線を有する別の信号の第２のダイナミックレンジよりも広い装置。
【請求項１６】
前記基準信号は、１次同期信号を含む請求項１５記載の装置。
【請求項１７】
前記１次同期信号は、Ｚａｄｏｆｆ−Ｃｈｕシーケンスに基づいている請求項１６記載の装置。
【請求項１８】
前記基準信号は、ショートトレーニングシーケンス（ＳＴＳ）またはガード間隔（ＧＩ）のうちの１つを含む請求項１５記載の装置。
【請求項１９】
前記基準信号は、前記非定包絡線を有するプリアンブルを含む請求項１５記載の装置。
【請求項２０】
前記少なくとも１つのプロセッサは、
前記非線形推定に関係するフィードバックを前記受信機から受信し、
前記フィードバックに基づいて、少なくとも１つのデジタルプリディストーション（ＤＰＤ）動作を実行するようにさらに構成されている請求項１５記載の装置。
【請求項２１】
前記フィードバックに基づく少なくとも１つのＤＰＤ動作の実行は、高出力増幅器（ＨＰＡ）またはデジタルアナログ変換器（ＤＡＣ）のうちの少なくとも１つに関係する１つ以上の係数の調節を含む請求項２０記載の装置。
【請求項２２】
受信機によるワイヤレス通信の装置において、
メモリと、
前記メモリに結合されている少なくとも１つのプロセッサとを具備し、
前記少なくとも１つのプロセッサは、
非定包絡線を有する基準信号を受信し、
前記非定包絡線を有する基準信号に基づいて、少なくとも１つの非線形特性を推定し、
前記少なくとも１つの非線形特性に基づいて、フィードバックを送信することと、
または、
前記少なくとも１つの非線形特性に基づいて、少なくとも１つのデジタルポストディストーション（ＤＰｏＤ）動作を実行することと、のうちの少なくとも１つを実行するように構成され、
前記基準信号は、定包絡線を有する別の信号の第２のダイナミックレンジよりも広い第１のダイナミックレンジを有する装置。
【請求項２３】
前記基準信号は、１次同期信号を含む請求項２２記載の装置。
【請求項２４】
前記１次同期信号は、Ｚａｄｏｆｆ−Ｃｈｕシーケンスに基づいている請求項２２記載の装置。
【請求項２５】
前記基準信号は、ショートトレーニングシーケンス（ＳＴＳ）またはガード間隔（ＧＩ）のうちの１つを含む請求項２２記載の装置。
【請求項２６】
前記基準信号は、前記非定包絡線を有するプリアンブルを含む請求項２２記載の装置。
【請求項２７】
前記非定包絡線を有する基準信号に基づく少なくとも１つの非線形特性の推定が、最小二乗アルゴリズムに基づいている請求項２２記載の装置。
【請求項２８】
前記少なくとも１つの非線形特性に基づく少なくとも１つのＤＰｏＤ動作の実行が、低雑音増幅器（ＬＮＡ）またはアナログデジタル変換器（ＡＤＣ）のうちの少なくとも１つに関係する１つ以上の係数の調節を含む請求項２２記載の装置。
【請求項２９】
ワイヤレス通信のための装置において、
受信機による非線形推定のために、非定包絡線を有する基準信号を発生させる手段と、
前記基準信号を送信する手段とを具備し、
前記発生させる手段は、第１のダイナミックレンジを有するように前記基準信号を変調するように構成され、前記第１のダイナミックレンジは、定包絡線を有する別の信号の第２のダイナミックレンジよりも広い装置。
【請求項３０】
前記基準信号は、１次同期信号を含む請求項２９記載の装置。
【請求項３１】
前記１次同期信号は、Ｚａｄｏｆｆ−Ｃｈｕシーケンスに基づいている請求項３０記載の装置。
【請求項３２】
前記基準信号は、ショートトレーニングシーケンス（ＳＴＳ）またはガード間隔（ＧＩ）のうちの１つを含む請求項２９記載の装置。
【請求項３３】
前記基準信号は、前記非定包絡線を有するプリアンブルを含む請求項２９記載の装置。
【請求項３４】
前記非線形推定に関係するフィードバックを前記受信機から受信する手段と、
前記フィードバックに基づいて、少なくとも１つのデジタルプリディストーション（ＤＰＤ）動作を実行する手段とをさらに具備する請求項２９記載の装置。
【請求項３５】
前記フィードバックに基づいて、少なくとも１つのＤＰＤ動作を実行する手段は、高出力増幅器（ＨＰＡ）またはデジタルアナログ変換器（ＤＡＣ）のうちの少なくとも１つに関係する１つ以上の係数を調節するように構成されている請求項３４記載の装置。
【請求項３６】
受信機によるワイヤレス通信の装置において、
非定包絡線を有する基準信号を受信する手段と、
前記非定包絡線を有する基準信号に基づいて、少なくとも１つの非線形特性を推定する手段と、
前記少なくとも１つの非線形特性に基づいて、フィードバックを送信する手段と、
または、
前記少なくとも１つの非線形特性に基づいて、少なくとも１つのデジタルポストディストーション（ＤＰｏＤ）動作を実行する手段と、のうちの少なくとも１つとを具備し、
前記基準信号は、定包絡線を有する別の信号の第２のダイナミックレンジよりも広い第１のダイナミックレンジを有する装置。
【請求項３７】
前記基準信号は、１次同期信号を含む請求項３６記載の装置。
【請求項３８】
前記１次同期信号は、Ｚａｄｏｆｆ−Ｃｈｕシーケンスに基づいている請求項３６記載の装置。
【請求項３９】
前記基準信号は、ショートトレーニングシーケンス（ＳＴＳ）またはガード間隔（ＧＩ）のうちの１つを含む請求項３６記載の装置。
【請求項４０】
前記基準信号は、前記非定包絡線を有するプリアンブルを含む請求項３６記載の装置。
【請求項４１】
前記非定包絡線を有する基準信号に基づいて、少なくとも１つの非線形特性を推定することは、最小二乗アルゴリズムに基づいている請求項３６記載の装置。
【請求項４２】
前記少なくとも１つの非線形特性に基づいて、少なくとも１つのＤＰｏＤ動作を実行する手段は、低雑音増幅器（ＬＮＡ）またはアナログデジタル変換器（ＡＤＣ）のうちの少なくとも１つに関係する１つ以上の係数を調節するように構成されている請求項３６記載の装置。
【請求項４３】
送信機によるワイヤレス通信のためのコンピュータ実行可能コードを記憶する非一時的コンピュータ読取可能媒体において、
前記送信機により、受信機による非線形推定のために、非定包絡線を有する基準信号を発生させ、
前記送信機により、前記基準信号を送信させるコードを含み、
前記基準信号の発生は、第１のダイナミックレンジを有するように前記基準信号を変調することを含み、前記第１のダイナミックレンジは、定包絡線を有する別の信号の第２のダイナミックレンジよりも広い非一時的コンピュータ読取可能媒体。
【請求項４４】
受信機によるワイヤレス通信のためのコンピュータ実行可能コードを記憶する非一時的コンピュータ読取可能媒体において、
非定包絡線を有する基準信号を受信し、
前記非定包絡線を有する基準信号に基づいて、少なくとも１つの非線形特性を推定し、
前記少なくとも１つの非線形特性に基づいて、フィードバックを送信することと、
または、
前記少なくとも１つの非線形特性に基づいて、少なくとも１つのデジタルポストディストーション（ＤＰｏＤ）動作を実行することと、のうちの少なくとも１つを実行するためのコードを含み、
前記基準信号は、定包絡線を有する別の信号の第２のダイナミックレンジよりも広い第１のダイナミックレンジを有する非一時的コンピュータ読取可能媒体。
【手続補正２】
【補正対象書類名】明細書
【補正対象項目名】０１０８
【補正方法】変更
【補正の内容】
【０１０８】
［００１１７］
先の説明は、当業者がここで説明したさまざまな態様を実施できるようにするために提供している。これらの態様へのさまざまな修正は、当業者にとって容易に明らかとなり、ここで規定している包括的な原理を他の態様に適用してもよい。したがって、ここで示している態様に限定されることを特許請求の範囲は意図しておらず、しかしながら、特許請求の範囲の文言と一致するすべての範囲が与えられるべきであり、単数形での要素への参照は、特にそのように述べられていない限り「１つおよび１つのみ」を意味するように意図されず、むしろ「１つ以上の」を意味するように意図されている。ワード「例示的な」は、「例、事例、または、例示として役割を果たすこと」を意味するようにここで使用される。「例示的」として、ここで説明するいずれの態様も、他の態様と比較して、必ずしも好ましいものとして、または、有利なものとして解釈すべきではない。特にそうではないことが述べられていない限り、用語「いくつかの」は１つ以上を指す。「Ａ、Ｂ、または、Ｃのうちの少なくとも１つ」、「Ａ、Ｂ、または、Ｃのうちの１つ以上」、「Ａ、Ｂ、および、Ｃのうちの少なくとも１つ」、「Ａ、Ｂ、および、Ｃのうちの１つ以上」、および、「Ａ、Ｂ、Ｃ、または、それらの任意の組み合わせ」のような組み合わせは、Ａ、Ｂ、および／または、Ｃの任意の組み合わせを含み、複数のＡ、複数のＢ、または、複数のＣを含むことができる。特に、「Ａ、Ｂ、または、Ｃのうちの少なくとも１つ」、「Ａ、Ｂ、または、Ｃのうちの１つ以上」、「Ａ、Ｂ、および、Ｃのうちの少なくとも１つ」、「Ａ、Ｂ、および、Ｃのうちの１つ以上」、および、「Ａ、Ｂ、Ｃ、または、それらの任意の組み合わせ」のような組み合わせは、Ａのみ、Ｂのみ、Ｃのみ、ＡとＢ、ＡとＣ、ＢとＣ、または、ＡとＢとＣであることができ、ここで、任意のこのような組み合わせは、Ａ、Ｂ、または、Ｃのうちの１つ以上のメンバーを含むことができる。当業者に知られている、あるいは後に知られることになる本開示全体に渡って説明されているさまざまな態様の要素に対するすべての構造的および機能的な均等物は、参照によってここに明確に組み込まれ、特許請求の範囲によって包含されるように意図されている。さらに、ここで開示したものは、このような開示が、特許請求の範囲中に明示的に記載されているか否かにかかわらず、公共に捧げられることを意図していない。ワード「モジュール」、「メカニズム」、「要素」、「デバイス」、および、これらに類するものは、ワード「手段」に置き換えられないかもしれない。このようなことから、要素がフレーズ「のための手段」を使用して明示的に記載されない限り、どの請求項の要素もミーンズプラスファンクションとして解釈すべきではない。
以下に、本願出願の当初の特許請求の範囲に記載された発明を付記する。
［１］  送信機によるワイヤレス通信の方法において、
前記送信機により、受信機による非線形推定のために、非定包絡線を有する基準信号を発生させることと、
前記送信機により、前記基準信号を送信することとを含む方法。
［２］  前記基準信号は、１次同期信号を含む［１］記載の方法。
［３］  前記１次同期信号は、Ｚａｄｏｆｆ−Ｃｈｕシーケンスに基づいている［１］記載の方法。
［４］  前記基準信号は、ショートトレーニングシーケンス（ＳＴＳ）またはガード間隔（ＧＩ）のうちの１つを含む［１］記載の方法。
［５］  前記基準信号は、前記非定包絡線を有するプリアンブルを含む［１］記載の方法。
［６］  前記非定包絡線を有する基準信号の発生は、第１のダイナミックレンジを有するように前記基準信号を変調することを含み、前記第１のダイナミックレンジは、定包絡線を有する別の信号の第２のダイナミックレンジよりも広い［１］記載の方法。
［７］  前記非線形推定に関係するフィードバックを前記受信機から受信することと、
前記フィードバックに基づいて、少なくとも１つのデジタルプリディストーション（ＤＰＤ）動作を実行することとをさらに含む［１］記載の方法。
［８］  前記フィードバックに基づく少なくとも１つのＤＰＤ動作の実行は、高出力増幅器（ＨＰＡ）またはデジタルアナログ変換器（ＤＡＣ）のうちの少なくとも１つに関係する１つ以上の係数を調節することを含む［７］記載の方法。
［９］  受信機によるワイヤレス通信の方法において、
非定包絡線を有する基準信号を受信することと、
前記非定包絡線を有する基準信号に基づいて、少なくとも１つの非線形特性を推定することと、
前記少なくとも１つの非線形特性に基づいて、フィードバックを送信することと、
または、
前記少なくとも１つの非線形特性に基づいて、少なくとも１つのデジタルポストディストーション（ＤＰｏＤ）動作を実行することと、のうちの少なくとも１つとを含む方法。
［１０］  前記基準信号は、１次同期信号を含む［９］記載の方法。
［１１］  前記１次同期信号は、Ｚａｄｏｆｆ−Ｃｈｕシーケンスに基づいている［９］記載の方法。
［１２］  前記基準信号は、ショートトレーニングシーケンス（ＳＴＳ）またはガード間隔（ＧＩ）のうちの１つを含む［９］記載の方法。
［１３］  前記基準信号は、前記非定包絡線を有するプリアンブルを含む［９］記載の方法。
［１４］  前記非定包絡線を有する基準信号に基づく少なくとも１つの非線形特性の推定が、最小二乗アルゴリズムに基づいている［９］記載の方法。
［１５］  前記少なくとも１つの非線形特性に基づく少なくとも１つのＤＰｏＤ動作の実行は、低雑音増幅器（ＬＮＡ）またはアナログデジタル変換器（ＡＤＣ）のうちの少なくとも１つに関係する１つ以上の係数を調節することを含む［９］記載の方法。
［１６］  ワイヤレス通信のための装置において、
メモリと、
前記メモリに結合されている少なくとも１つのプロセッサとを具備し、
前記少なくとも１つのプロセッサは、
受信機による非線形推定のために、非定包絡線を有する基準信号を発生させ、
前記基準信号を送信するように構成されている装置。
［１７］  前記基準信号は、１次同期信号を含む［１６］記載の装置。
［１８］  前記１次同期信号は、Ｚａｄｏｆｆ−Ｃｈｕシーケンスに基づいている［１６］記載の装置。
［１９］  前記基準信号は、ショートトレーニングシーケンス（ＳＴＳ）またはガード間隔（ＧＩ）のうちの１つを含む［１６］記載の装置。
［２０］  前記基準信号は、前記非定包絡線を有するプリアンブルを含む［１６］記載の装置。
［２１］  前記非定包絡線を有する基準信号の発生は、第１のダイナミックレンジを有するように前記基準信号を変調することを含み、前記第１のダイナミックレンジは、定包絡線を有する別の信号の第２のダイナミックレンジよりも広い［１６］記載の装置。
［２２］  前記少なくとも１つのプロセッサは、
前記非線形推定に関係するフィードバックを前記受信機から受信し、
前記フィードバックに基づいて、少なくとも１つのデジタルプリディストーション（ＤＰＤ）動作を実行するようにさらに構成されている［１６］記載の装置。
［２３］  前記フィードバックに基づく少なくとも１つのＤＰＤ動作の実行は、高出力増幅器（ＨＰＡ）またはデジタルアナログ変換器（ＤＡＣ）のうちの少なくとも１つに関係する１つ以上の係数の調節を含む［２２］記載の装置。
［２４］  受信機によるワイヤレス通信の装置において、
メモリと、
前記メモリに結合されている少なくとも１つのプロセッサとを具備し、
前記少なくとも１つのプロセッサは、
非定包絡線を有する基準信号を受信し、
前記非定包絡線を有する基準信号に基づいて、少なくとも１つの非線形特性を推定し、
前記少なくとも１つの非線形特性に基づいて、フィードバックを送信することと、
または、
前記少なくとも１つの非線形特性に基づいて、少なくとも１つのデジタルポストディストーション（ＤＰｏＤ）動作を実行することと、のうちの少なくとも１つを実行するように構成されている装置。
［２５］  前記基準信号は、１次同期信号を含む［２４］記載の装置。
［２６］  前記１次同期信号は、Ｚａｄｏｆｆ−Ｃｈｕシーケンスに基づいている［２４］記載の装置。
［２７］  前記基準信号は、ショートトレーニングシーケンス（ＳＴＳ）またはガード間隔（ＧＩ）のうちの１つを含む［２４］記載の装置。
［２８］  前記基準信号は、前記非定包絡線を有するプリアンブルを含む［２４］記載の装置。
［２９］  前記非定包絡線を有する基準信号に基づく少なくとも１つの非線形特性の推定が、最小二乗アルゴリズムに基づいている［２４］記載の装置。
［３０］  前記少なくとも１つの非線形特性に基づく少なくとも１つのＤＰｏＤ動作の実行が、低雑音増幅器（ＬＮＡ）またはアナログデジタル変換器（ＡＤＣ）のうちの少なくとも１つに関係する１つ以上の係数の調節を含む［２４］記載の装置。
［３１］  ワイヤレス通信のための装置において、
受信機による非線形推定のために、非定包絡線を有する基準信号を発生させる手段と、
前記基準信号を送信する手段とを具備する装置。
［３２］  前記基準信号は、１次同期信号を含む［３１］記載の装置。
［３３］  前記１次同期信号は、Ｚａｄｏｆｆ−Ｃｈｕシーケンスに基づいている［３１］記載の装置。
［３４］  前記基準信号は、ショートトレーニングシーケンス（ＳＴＳ）またはガード間隔（ＧＩ）のうちの１つを含む［３１］記載の装置。
［３５］  前記基準信号は、前記非定包絡線を有するプリアンブルを含む［３１］記載の装置。
［３６］  前記非定包絡線を有する基準信号を発生させる手段は、第１のダイナミックレンジを有するように前記基準信号を変調するように構成され、前記第１のダイナミックレンジは、定包絡線を有する別の信号の第２のダイナミックレンジよりも広い［３１］記載の装置。
［３７］  前記非線形推定に関係するフィードバックを前記受信機から受信する手段と、
前記フィードバックに基づいて、少なくとも１つのデジタルプリディストーション（ＤＰＤ）動作を実行する手段とをさらに具備する［３１］記載の装置。
［３８］  前記フィードバックに基づいて、少なくとも１つのＤＰＤ動作を実行する手段は、高出力増幅器（ＨＰＡ）またはデジタルアナログ変換器（ＤＡＣ）のうちの少なくとも１つに関係する１つ以上の係数を調節するように構成されている［３７］記載の装置。
［３９］  受信機によるワイヤレス通信の装置において、
非定包絡線を有する基準信号を受信する手段と、
前記非定包絡線を有する基準信号に基づいて、少なくとも１つの非線形特性を推定する手段と、
前記少なくとも１つの非線形特性に基づいて、フィードバックを送信する手段と、
または、
前記少なくとも１つの非線形特性に基づいて、少なくとも１つのデジタルポストディストーション（ＤＰｏＤ）動作を実行する手段と、のうちの少なくとも１つとを具備する装置。
［４０］  前記基準信号は、１次同期信号を含む［３９］記載の装置。
［４１］  前記１次同期信号は、Ｚａｄｏｆｆ−Ｃｈｕシーケンスに基づいている［３９］記載の装置。
［４２］  前記基準信号は、ショートトレーニングシーケンス（ＳＴＳ）またはガード間隔（ＧＩ）のうちの１つを含む［３９］記載の装置。
［４３］  前記基準信号は、前記非定包絡線を有するプリアンブルを含む［３９］記載の装置。
［４４］  前記非定包絡線を有する基準信号に基づいて、少なくとも１つの非線形特性を推定することは、最小二乗アルゴリズムに基づいている［３９］記載の装置。
［４５］  前記少なくとも１つの非線形特性に基づいて、少なくとも１つのＤＰｏＤ動作を実行する手段は、低雑音増幅器（ＬＮＡ）またはアナログデジタル変換器（ＡＤＣ）のうちの少なくとも１つに関係する１つ以上の係数を調節するように構成されている［３９］記載の装置。
［４６］  送信機によるワイヤレス通信のためのコンピュータ実行可能コードを記憶するコンピュータ読取可能媒体において、
前記送信機により、受信機による非線形推定のために、非定包絡線を有する基準信号を発生させ、
前記送信機により、前記基準信号を送信させるコードを含むコンピュータ読取可能媒体。
［４７］  受信機によるワイヤレス通信のためのコンピュータ実行可能コードを記憶するコンピュータ読取可能媒体において、
非定包絡線を有する基準信号を受信し、
前記非定包絡線を有する基準信号に基づいて、少なくとも１つの非線形特性を推定し、
前記少なくとも１つの非線形特性に基づいて、フィードバックを送信することと、
または、
前記少なくとも１つの非線形特性に基づいて、少なくとも１つのデジタルポストディストーション（ＤＰｏＤ）動作を実行することと、のうちの少なくとも１つを実行するためのコードを含むコンピュータ読取可能媒体。
【国際調査報告】
2021507605.tif 000023
2021507605.tif 000024
2021507605.tif 000025